(57)【要約】  通信端末は、通信端末において、機能としての非免許制の第１の周波数の使用可否に関する端末性能情報を基地局に通知する端末性能情報制御部（３２６）と、通信端末の第１の周波数の使用可否を基に、第１の周波数及び免許制である第２の周波数を使用した通信、又は、第２の周波数を使用した通信を行う受信無線部（３０１）及び送信無線部（３３１）とを備える。基地局は、端末性能情報制御部（３２６）により通知された端末性能情報を基に、第１の周波数及び第２の周波数を用いた通信、又は、第２の周波数を用いた通信を行う通信部を備える。
2016181537.tif 000002
【特許請求の範囲】
【請求項１】
基地局及び通信端末を有する無線通信システムであって、
前記通信端末は、
前記通信端末において、機能としての非免許制の第１の周波数の使用可否に関する端末性能情報を前記基地局に通知する通知部と、
前記通信端末の前記第１の周波数の使用可否を基に、前記第１の周波数及び免許制の第２の周波数を使用した通信、又は、前記第２の周波数を使用した通信を行う第１通信部とを備え、
前記基地局は、
前記通知部により通知された前記端末性能情報を基に、前記第１の周波数及び前記第２の周波数を用いた通信、又は、前記第２の周波数を用いた通信を行う第２通信部を備えた
ことを特徴とする無線通信システム。
【請求項２】
前記通知部は、前記第１の周波数の使用可否を基に分類された端末カテゴリを前記基地局に通知することを特徴とする請求項１に記載の無線通信システム。
【請求項３】
前記基地局は、
前記通知部により通知された前記端末性能情報を基に、前記第１の周波数を用いて前記通信端末と通信を行うか否かを判定する判定部をさらに備え、
前記第２通信部は、前記判定部により前記第１の周波数を用いて通信を行うと判定された場合、前記第１の周波数及び前記第２の周波数を用いて通信を行い、前記判定部により前記第１の周波数を用いた通信は行わないと判定された場合、前記第２の周波数を用いて通信を行う
ことを特徴とする請求項１に記載の無線通信システム。
【請求項４】
前記通信端末は、
前記第１の周波数の無線回線品質を測定する無線回線品質測定部と、
前記無線回線品質測定部により測定された前記無線回線品質を前記基地局に通知する無線回線品質通知部とをさらに備え、
前記基地局は、
前記端末性能情報を基に、前記第１の周波数の無線回線品質測定を要求する無線回線品質測定要求通知部をさらに備えた、
ことを特徴とする請求項１に記載の無線通信システム。
【請求項５】
自装置における機能としての非免許制の第１の周波数の使用可否に関する端末性能情報を基地局に通知する通知部と、自装置の前記第１の周波数の使用可否を基に、前記第１の周波数及び免許制の第２の周波数を使用した通信、又は、前記第２の周波数を使用した通信を行う第１通信部とを備えた通信端末から、前記端末性能情報を受信し、該端末性能情報を基に、前記第１の周波数及び前記第２の周波数を用いた通信、又は、前記第２の周波数を用いた通信を行う通信部を備えた
ことを特徴とする基地局。
【請求項６】
自装置における機能としての非免許制の第１の周波数の使用可否に関する端末性能情報を基に、前記第１の周波数及び免許制の第２の周波数を用いた通信又は前記第２の周波数を用いた通信を行う基地局に、前記端末性能情報を通知する通知部と、
自装置の前記第１の周波数の使用可否を基に、前記第１の周波数及び前記第２の周波数を使用した通信、又は、前記第２の周波数を使用した通信を行う通信部と
を備えたことを特徴とする通信端末。
【請求項７】
第１基地局、第２基地局及び通信端末を有する無線通信システムであって、
前記通信端末は、
前記通信端末における機能としての非免許制の第１の周波数の使用可否に関する端末性能情報を前記第１基地局に通知する通知部と、
前記通信端末の前記第１の周波数の使用可否を基に、前記第１の周波数及び免許制の第２の周波数を使用した通信、又は、前記第２の周波数を使用した通信を行う第１通信部とを備え、
前記第１基地局は、
前記第２の周波数を用いた通信を行う第２通信部と、
前記通知部により通知された前記端末性能情報を基に、前記第１の周波数を通信に使用するか否かを判定する判定部とを備え、
前記第２基地局は、
前記判定部により前記第１の周波数を通信に使用すると判定された場合、前記第１の周波数を用いた通信を行う第３通信部を備えた
ことを特徴とする無線通信システム。
【請求項８】
基地局及び通信端末を有する無線通信システムの制御方法であって、
前記通信端末に、前記通信端末における機能としての非免許制の第１の周波数の使用可否に関する端末性能情報を前記基地局に通知させ、
前記基地局に、前記端末性能情報を受信させ、該端末性能情報を基に、前記第１の周波数及び免許制の第２の周波数を用いた通信、又は、前記第２の周波数を用いた通信を行わせ、
前記通信端末に、前記通信端末の前記第１の周波数の使用可否を基に、前記第１の周波数及び前記第２の周波数を使用した通信、又は、前記第２の周波数を使用した通信を行わせる
ことを特徴とする無線通信システムの制御方法。
【発明の詳細な説明】
【技術分野】
【０００１】
本発明は、無線通信システム、基地局、通信端末及び無線通信システムの制御方法に関する。
【背景技術】
【０００２】
現在、３ＧＰＰ（3rd  Generation  Partnership  Project）において、ＬＴＥ（Long  Term  Evolution）システム及びＬＴＥ−Ａｄｖａｎｃｅｄシステムの仕様が検討されている。ＬＴＥは、ＬＴＥ  Ｒｅｌｅａｓｅ８からＲｅｌｅａｓｅ１２の仕様が策定されており、日本においては、Ｒｅｌｅａｓ８をベースとして様々な電気通信事業者がサービスを提供している。【０００３】
さらに、現在ＬＴＥシステムの発展形であるＬＴＥ−Ａｄｖａｎｃｅｄシステム（Ｒｅｌｅａｓｅ１０以降）が検討され、Ｒｅｌｅａｓｅ１２までの仕様が策定され、Ｒｅｌｅａｓｅ１３が検討されている。韓国では、２０１３年６月にてサービスが開始されている。また、日本では、２０１４年６月にサービスを開始した電気通信事業者があり、２０１５年３月には、他の電気通信事業者もサービスを開始している。【０００４】
ＬＴＥ  Ｒｅｌｅａｓｅ１０、すなわちＬＴＥ−Ａｄｖａｎｃｅｄシステムは、例えば、以下のような構成をとる。すなわち、ＬＴＥ−Ａｄｖａｎｃｅｄシステムは、ｅＮＢ（evolved  Node  B）と呼ばれる基地局（または、基地局装置。以下「基地局」と総称する。）及びＵＥ（User  Equipment）と呼ばれる通信端末（または、端末。以下「通信端末」と総称する。）を有する。また、基地局は、通信端末へ下り送信を行う送信装置（または、送信機、送信局。）であり、端末からの上り信号を受信する受信装置（または、受信機、受信局。）でもある。同様に、通信端末は、基地局からの下り送信を受信する受信装置（または、受信機、受信局。）であり、基地局への上り送信を行う送信装置（または、送信機、送信局。）でもある。また、ＬＴＥ−Ａｄｖａｎｃｅｄシステムは、Ｃｏｒｅ  Ｎｅｔｗｏｒｋと呼ばれるインターネットに接続する制御装置であるＭＭＥ（Mobility  Management  Entity）を有する。また、ＬＴＥ−Ａｄｖａｎｃｅｄシステムは、ユーザデータなどの伝送されるデータのためのサーバであるＳ−ＧＷ（Serving  Gate  Way）を有する。さらに、ＬＴＥ−Ａｄｖａｎｃｅｄシステムは、ＭＭＥ／Ｓ−ＧＷとｅＮＢとの間のインタフェースであるＳ１と、ｅＮＢ間のインタフェースであるＸ２を有する。なお、Ｓ１及びＸ２は、ＴＣＰ／ＩＰ（Transmission  Control  Protocol/Internet  Protocol）を用いたインタフェースである。【０００５】
そして、基地局は通信エリアである１つのセルを有し、そのセルに収容された通信端末との間で通信を行い、且つ基地局間で通信を行うことで、同じセル又は異なるセルに収容された通信端末間で通信を行うことができる。ここで、１つの基地局が有するのは１つの帯域のみであることから、以下の説明では、基地局とセル及び帯域とを同義として扱う場合がある。【０００６】
また、ＬＴＥ−Ａｄｖａｎｃｅｄシステムの他の構成としては、例えば、以下のようなものがある。すなわち、ＬＴＥ−Ａｄｖａｎｃｅｄシステムは、セルが通常のセルより小さく、例えば家や事務所などの屋内の設置も想定されるＨｅＮＢ（Home  eNB）、ＨｅＮＢのためのサーバであるＨｅＮＢ  ＧＷを有する。また、ＬＴＥ−Ａｄｖａｎｃｅｄシステムは、ＭＭＥ／Ｓ−ＧＷと、ｅＮＢ及びＨｅＮＢとの間のインタフェースであるＳ１を有する。さらに、ＬＴＥ−Ａｄｖａｎｃｅｄシステムは、ｅＮＢ間、ＨｅＮＢ間、並びに、ｅＮＢ、Ｘ２−ＧＷ及びＨｅＮＢのそれぞれの間のインタフェースであるＸ２を有する。さらに、基地局と通信端末間の通信において中継装置（リレーノード）を用いて中継伝送することもある。【０００７】
このようなＬＴＥ−Ａｄｖａｎｃｅｄシステムにおいて、Ｃａｒｒｉｅｒ  Ａｇｇｒｅｇａｔｉｏｎ（ＣＡ）という技術が提案されている。ＬＴＥシステムでは、上り／下り帯域幅（またはシステム帯域幅）を、１．４ＭＨｚ、３ＭＨｚ、５ＭＨｚ、１０ＭＨｚ、１５ＭＨｚ、２０ＭＨｚと設定することが可能である。このように設定された帯域は、Ｃｏｍｐｏｎｅｎｔ  Ｃａｒｒｉｅｒと定義されている。複数の帯域幅が設定されている理由は、従来のＧＳＭ（登録商標）（Global  System  for  Mobile  communications）システムやＷ−ＣＤＭＡ（Wideband  Code  Division  Multiple  Access）システムに対して割り当てられた帯域幅をそのまま使用することを前提としたためである。【０００８】
一方で、ＬＴＥシステムは従来のＧＳＭシステムやＷ−ＣＤＭＡシステムと比較し高速伝送の実現が望まれる。そこで、これらのシステムと比較して、ＬＴＥシステムは、帯域幅が広帯域であることが望ましい。一般的に無線通信システムで使用する帯域は、国毎の事情により異なる。さらに、欧州では、陸続きで他国と接しており、干渉を考慮して各国間で使用周波数帯域を調整している。この結果、各国において、無線通信システムで使用できる帯域幅は減少し、また細切れとなっている。そこで、ＬＴＥシステムにおいて広帯域を実現するため、狭く且つ細切れになっている帯域を統合し、広帯域化する方法が導入されることになった。狭く且つ細切れになっている帯域を統合し広帯域化する方法が、ＣＡである。すなわち、ＣＡは、複数の周波数帯域を同時に用いて少なくとも１つの送信装置と受信装置間で通信を行う技術であり、また複数の通信周波数帯を同時に用いて１つの送信装置と少なくとも１つの受信装置間で通信を行う技術である。これらを満たせば、本実施例に係る無線通信システムの構成は、ＣＡに限定されるものではない。【０００９】
ＣＡを実施する際は、主となるセルを用いたＣｅｌｌが設定される。これをプライマリセル（Primary  Cell）とよぶ。プライマリセルは、他にも、第１のセル（First  Cell）、第１の帯域（First  Band）、主帯域（Main  Band）又は主セルなどと呼ばれることがある。以下では、プライマリセルを「ＰＣｅｌｌ」という。【００１０】
ＣＡでは、ＰＣｅｌｌに対して、セルの追加や統合が行われる。この追加するセルをセカンダリセル（Secondary  Cell）とよぶ。セカンダリセルは、他にも、第２のセル、第２の帯域（Secondary  Band）、拡張帯域（Extended  Band）又は副帯域（Subband）と呼ばれることがある。以下では、セカンダリセルを「ＳＣｅｌｌ」という。【００１１】
なお、これらのセルは、１つのシステム（例えば、Ｗ−ＣＤＭＡやＬＴＥ）に対して割り当てられた帯域（単にバンドと呼ばれる場合もある。）を、そのシステムを構成する周波数帯域幅（システム帯域幅）に基づいて分割したものであり、それぞれの帯域においてユーザ多重、すなわち、多元接続を実施することが可能である。さらには、その帯域を用いたデータチャネルの無線リソースをスケジューリングすることによって１つ以上の端末に割り当てることにより、ユーザ多重を実施することが可能である。これらのセルは、１つのシステムを構成することができるものである。すなわち、これらのセルは、ＯＦＤＭＡ（Orthogonal  Frequency-Division  Multiple  Access）において、ユーザ多重を実施するための無線リソースの割り当て単位として複数のサブキャリアがまとめられたブロック（または、組、クラスタ。）を用いることとは異なる。【００１２】
ＬＴＥ  Ｒｅｌｅａｓｅ  １０〜１２におけるＣＡでは、ＳＣｅｌｌは最大７つまで設定可能である。すなわち、ＰＣｅｌｌと合わせて最大８つのＣＣ（Component  Carrier）を用いてＣＡを実現することが可能である。言い換えれば、ＣＡとは、ＰＣｅｌｌと少なくとも１つのＳＣｅｌｌとを統合する技術である。なお、現在、ＳＣｅｌｌを最大３２個までにすることが検討されている。さらに、ＰＣｅｌｌとＳＣｅｌｌの周波数が連続する場合と周波数が不連続な場合、及び周波数が同じ周波数帯に含まれるか否かで、ＣＡは分類される。さらに、ＣＡは、ＳＣｅｌｌを用いたデータ通信のための制御情報をＳＣｅｌｌで伝送する場合とＰＣｅｌｌ又は別のＳＣｅｌｌで伝送する場合とに分けられる。ここで、ＳＣｅｌｌを用いたデータ通信には、下り無線共有チャネルであるＰＤＳＣＨ（Physical  Downlink  Shared  Channel）が用いられる。また、ＳＣｅｌｌを用いたデータ通信のための制御情報は、下り無線制御チャネルであるＰＤＣＣＨ（Physical  Downlink  Control  Channel）を用いて送信される。【００１３】
加えて、通信容量のさらなる増加対策の１つとして、セルを縮小し狭いエリアとすることで、１つのセルが収容する通信端末数を減らし、各通信端末の通信速度を高速化することが行われている。このような狭いエリアのセルは、マイクロセル、ピコセル、フェムトセル又はスモールセルなどと呼ばれる。そして、ＣＡの導入に際して、ＰＣｅｌｌをマクロセル（広域セル）とし、上述の狭いエリアのセルをＳＣｅｌｌとする構成が導入されている。【００１４】
ＰＣｅｌｌをマクロセルとし、少なくとも一部がＰＣｅｌｌに重なる狭いエリアのセルをＳＣｅｌｌとするＣＡの構成は、アンブレラセル構成又は階層化セル構成と呼ばれることがある。このアンブレラセル構成を実現する方法として以下の方法がある。１つには、基地局間インタフェースであるＸ２インタフェースを用いて、ＰＣｅｌｌとＳＣｅｌｌとを接続し、ＰＣｅｌｌとＳＣｅｌｌとの間でユーザデータの転送を行う方法がある。また、１つには、ＰＣｅｌｌにおいて信号処理を実施し、ベースバンド信号あるいは無線信号を光信号に変換し、ＰＣｅｌｌとＳＣｅｌｌとの間を接続する方法がある。また、１つには、ＰＣｅｌｌとＳＣｅｌｌとの間を通常の無線通信で接続する方法がある。これらは、目的や用途に応じて使い分けられる。【００１５】
また、セルラーシステムは、国際的な周波数の割り当てを基に、それぞれの国の事情を考慮し、使用する周波数帯が法令で決定される。セルラーシステムには、例えば、Ｗ−ＣＤＭＡ（Wideband  Code  Division  Multiple  Access）、ＬＴＥ、ＬＴＥ−Ａｄｖａｎｃｅｄ及びＷｉＭＡＸ（Worldwide  Interoperability  for  Microwave  Access）（登録商標）などがある。さらに、その周波数帯は、通信事業者間でのオークションなどの方法で各通信事業者に割り当てられる。すなわち、通信事業者毎に使用周波数帯を指定し免許を与えることで、各通信事業者は指定された使用周波数帯の使用が許可される。このような使用が許可された周波数帯は「ライセンスドバンド」と呼ばれる。【００１６】
これに対して、法令で定めた最大送信電力以下の送信電力で通信を行うことで、免許不要で通信を行うことができるシステムがある。このようなシステムは特定小電力システムと呼ばれる。また、ＩＳＭ（Industry  Science  Medical）帯や５ＧＨｚ帯のように、法令の定める送信電力以下であれば、免許不要でその周波数を自由に使用できる周波数帯もある。このように、免許不要で使用可能な周波数帯は「アンライセンスドバンド」と呼ばれる。アンライセンスドバンドを用いるシステムとしては、例えば、ＩＳＭ帯を用いたＷｉ−Ｆｉ（Wireless  Fidelity）（IEEE（The  Institute  of  Electrical  and  Electronics  Engineers,  Inc）  802.11a等）が挙げられる。【００１７】
アンライセンスドバンドは、複数のＷｉ−Ｆｉシステムなどの多数のシステムによって自由に使用されることから、他のシステムの通信を邪魔しないとの電波法の理念にしたがい、例えば、Ｗｉ−Ｆｉでは、ＣＳＭＡ／ＣＡ（Carrier  Sense  Multiple  Access/Collision  Avoidance）が用いられている。ＣＳＭＡ／ＣＡは、ある周波数でデータなどを送信する前に、その周波数が他のシステムによって使用されているか否かを確認する方式であり、これにより、他の通信への妨害を防ぐことができる。また、アンライセンスドバンドは、特定のシステムが占有的に周波数を使用することはできない。【００１８】
ここで、上述したように通信量の増加の対策として、ＬＴＥ−ＡｄｖａｎｃｅｄへのＣＡの導入が行われた。さらに、使用する周波数帯を増やすことや高周波数化することで、通信量の増加に対応してきた。使用する周波数帯の増加としては、例えば、携帯電話などで用いられる１．７ＧＨｚ帯に、３．５ＧＨｚ帯を追加して使用するなどがある。しかしながら、使用する周波数帯の増加だけでは、通信量の増加に対応することが困難な状況となってきた。言い換えれば、周波数資源は有限であり、使用可能な周波数の枯渇が問題となってきている。【００１９】
そこで、アンライセンスドバンドをＬＴＥ及びＬＴＥ−Ａｄｖａｎｃｅｄなどのセルラーシステムで使用する従来技術がある。【００２０】
なお、ＬＴＥに関する技術としては、ＬＴＥのネットワークにおいて番号やＩＤを用いて制御を行う従来技術がある。また、マクロセル内に包含されるＣＳＧ（Closed  Subscriber  Group）セルと通信する端末が、識別情報をマクロセルの基地局に送信してアクセスの可否を決定する従来技術がある。また、無線ＬＡＮにおける無線端末の識別情報を基地局が記憶し、記憶した識別情報の無線端末とのみ無線ＬＡＮで通信する従来技術がある。
【先行技術文献】
【特許文献】
【００２１】
【特許文献１】特表２０１４−５００６８５号公報
【特許文献２】特許第４５１５４６０号公報
【特許文献３】特開２００９−２０７１０８号公報
【特許文献４】特開平０８−２６５３５８号公報
【非特許文献】
【００２２】
【非特許文献１】TS23.003V8.16.0  “3rd  Generation  Partnership  Project;  Technical  Specification  Group  Core  Network  and  Terminals;  Numbering,  addressing  and  identification  (Release  8)”
【非特許文献２】TS23.003V8.16.0  “3rd  Generation  Partnership  Project;  Technical  Specification  Radio  Access  Network  Meeting  #65  RP-141664  Edinburgh,  Scotland,  9-12  September  2014”
【発明の概要】
【発明が解決しようとする課題】
【００２３】
アンライセンスドバンドでＬＴＥシステム又はＬＴＥ−Ａｄｖａｎｃｅｄシステムを構築したとしても、通信端末がアンライセンスドバンドを用いた通信に対応していない場合、基地局はアンライセンスドバンドを用いずにその通信端末と通信を行うことになる。【００２４】
しかしながら、従来の技術では、基地局が、通信端末のアンライセンスドバンドを用いた通信への対応状況によって、アンライセンスドバンドを通信に用いるか否かを制御することは困難である。すなわち、単にアンライセンスドバンドの使用を示す従来技術を用いても、アンライセンスドバンドを適切に使用して通信を行うことは困難である。【００２５】
また、ＬＴＥ−ＡｄｖａｎｃｅｄのＣＡにおいて、ＰＣｅｌｌからＳＣｅｌｌを設定する従来技術を用いても、アンライセンスドバンドを適切に使用して通信を行うことは困難である。また、ＬＴＥのネットワークにおいて番号やＩＤを用いる従来技術を用いても、アンライセンスドバンドを適切に使用して通信を行うことは困難である。また、マクロセルに対して送信した情報からＣＳＧセルの使用を決定する従来技術を用いても、アンライセンスドバンドの使用の可否を判定することはできず、アンライセンスドバンドを適切に使用して通信を行うことは困難である。また、記憶した識別情報の無線端末とのみ無線ＬＡＮで通信する従来技術では、通信端末のアンライセンスドバンドの使用可否を適切に判定できず、アンライセンスドバンドを適切に使用して通信を行うことは困難である。【００２６】
開示の技術は、上記に鑑みてなされたものであって、アンライセンスドバンドを適切に使用して通信を行う無線通信システム、基地局、通信端末及び無線通信システムの制御方法を提供することを目的とする。
【課題を解決するための手段】
【００２７】
本願の開示する無線通信システム、基地局、通信端末及び無線通信システムの制御方法は、一つの態様において、無線通信システムは、基地局及び通信端末を有する。前記通信端末は、前記通信端末において、機能としての非免許制の第１の周波数の使用可否に関する端末性能情報を前記基地局に通知する通知部と、前記通信端末の前記第１の周波数の使用可否を基に、前記第１の周波数及び免許制の第２の周波数を使用した通信、又は、前記第２の周波数を使用した通信を行う第１通信部とを備える。前記基地局は、前記通知部により通知された前記端末性能情報を基に、前記第１の周波数及び前記第２の周波数を用いた通信、又は、前記第２の周波数を用いた通信を行う第２通信部を備える。
【発明の効果】
【００２８】
本願の開示する無線通信システム、基地局、通信端末及び無線通信システムの制御方法の一つの態様によれば、アンライセンスドバンドを適切に使用して通信を行うことができるという効果を奏する。また、アンライセンスバンドを用いた通信を行うことができるため、高速伝送を実現できるとの効果を奏する。また、同一のサービスのデータを分けて、基地局とＦｅｍｔｏで送信することができる。通信端末がアンライセンスドバンドに対応しているか否かを的確に判定でき、アンライセンスドバンドを適切に使用して通信を行うことができる。また、２つに分離した基地局であっても、アンライセンスドバンドを適切に使用して通信を行うことができる。また、基地局をＣＢＢＵとＲＲＨとに分離した場合でも、アンライセンスドバンドを適切に使用して通信を行うことができる。また、基地局をＣＢＢＵとＲＲＨとに分離した場合でも、アンライセンスドバンドを適切に使用して通信を行うことができる。また、基地局の回路規模の削減や消費電力の削減が可能となる。更に、基地局を小型化できる。そして、小型化により、基地局の設置コストを削減できる。
【図面の簡単な説明】
【００２９】
【図１】図１は、実施例１に係る無線通信システムの概略構成図である。
【図２】図２は、実施例１に係る各基地局のブロック図である。
【図３】図３は、物理層処理部及びライセンスドバンド制御部の詳細を表すブロック図である。
【図４】図４は、システム情報の一例を表す図である。
【図５】図５は、セルＩＤグループＮ（１）ＩＤとｍ０及びｍ１との間の対応を示すマッピングテーブルを表す図である。
【図６】図６は、フレームの構造を示す図である。
【図７】図７は、１つのサブフレームにおけるＰＳＳ、ＳＳＳ及びパイロット信号の配置について説明するための図である。
【図８】図８は、物理層処理部及びアンライセンスドバンド制御部の詳細を表すブロック図である。
【図９】図９は、通信端末のブロック図である。
【図１０】図１０は、同期及び無線回線品質測定のシーケンス図である。
【図１１Ａ】図１１Ａは、Ｃｏｎｔｅｎｔｉｏｎ  ｂａｓｅｄ  ｒａｎｄｏｍ  ａｃｃｅｓｓ  ｐｒｏｃｅｄｕｒｅのシーケンス図である。
【図１１Ｂ】図１１Ｂは、ｎｏｎ−Ｃｏｎｔｅｎｔｉｏｎ  ｂａｓｅｄ  ｒａｎｄｏｍ  ａｃｃｅｓｓ  ｐｒｏｃｅｄｕｒｅのシーケンス図である。
【図１２】図１２は、実施例１に係る無線通信システムにおけるＳＣｅｌｌ接続のシーケンス図である。
【図１３】図１３は、実施例１に係る無線通信システムにおけるＣＡの処理の概略を表すシーケンス図である。
【図１４】図１４は、実施例１に係る基地局によるＣＡの処理のフローチャートである。
【図１５】図１５は、実施例１に係る通信端末によるＣＡの処理のフローチャートである。
【図１６】図１６は、基地局のハードウェア構成図である。
【図１７】図１７は、通信端末のハードウェア構成図である。
【図１８Ａ】図１８Ａは、端末カテゴリの一例を表す図である。
【図１８Ｂ】図１８Ｂは、端末カテゴリの他の例を表す図である。
【図１９Ａ】図１９Ａは、実施例２に係る無線通信システムにおけるＳＣｅｌｌ接続のシーケンス図である。
【図１９Ｂ】図１９Ｂは、端末カテゴリの通知処理の詳細を表すシーケンス図である。
【図２０】図２０は、実施例２に係る基地局によるＣＡの処理のフローチャートである。
【図２１Ａ】図２１Ａは、実施例２に係る通信端末によるＣＡの処理のフローチャートである。
【図２１Ｂ】図２１Ｂは、端末カテゴリの通知処理の詳細を表すフローチャートである。
【図２２】図２２は、実施例３に係る基地局のＣＢＢＵのブロック図である。
【図２３】図２３は、実施例３に係る基地局のＲＲＨのブロック図である。
【図２４】図２４は、実施例４に係る基地局のブロック図である。
【図２５】図２５は、ＰＣｅｌｌ及びＳＣｅｌｌの基地局の各レイヤの処理部及びデータ転送処理を表す概略図である。
【図２６Ａ】図２６Ａは、上位装置においてデータを分ける構成を表す図である。
【図２６Ｂ】図２６Ｂは、ＰＤＣＰ処理部を共通化した場合の構成を表す図である。
【図２６Ｃ】図２６Ｃは、ＰＤＣＰ処理部及びＲＬＣ処理部を共通化した場合の構成を表す図である。
【図２６Ｄ】図２６Ｄは、ＰＤＣＰ処理部、ＲＬＣ処理部及びＭＡＣ処理部を共通化した場合の構成を表す図である。
【図２７Ａ】図２７Ａは、ライセンスドバンドを用いる基地局のＰＤＣＰ処理部からアンライセンスドバンドを用いる基地局のＲＬＣ処理部にデータを転送する構成を表す図である。
【図２７Ｂ】図２７Ｂは、ライセンスドバンドを用いる基地局のＰＤＣＰ処理部からアンライセンスドバンドを用いる基地局のＲＬＣ処理部にデータを転送する構成を表す図である。
【図２８Ａ】図２８Ａは、１つの基地局内での上位装置においてデータを分ける構成を表す図である。
【図２８Ｂ】図２８Ｂは、１つの基地局内でのＰＤＣＰ処理部を共通化した場合の構成を表す図である。
【図２８Ｃ】図２８Ｃは、１つの基地局内でのＰＤＣＰ処理部及びＲＬＣ処理部を共通化した場合の構成を表す図である。
【図２８Ｄ】図２８Ｄは、１つの基地局内でのＰＤＣＰ処理部、ＲＬＣ処理部及びＭＡＣ処理部を共通化した場合の構成を表す図である。
【発明を実施するための形態】
【００３０】
以下に、本願の開示する無線通信システム、基地局、通信端末及び無線通信システムの制御方法の実施例を図面に基づいて詳細に説明する。なお、以下の実施例により本願の開示する無線通信システム、基地局、通信端末及び無線通信システムの制御方法に限定されるものではない。すなわち、以下ではＬＴＥシステムを例として説明するが、ＬＴＥシステムに限定されるものではなく、Ｗ−ＣＤＭＡシステムや第５世代移動通信システムなどの他のシステムにも適用可能なものである。さらには、ＴＤＭＡ，ＣＤＭＡ，ＯＦＤＭＡ，ＳＣ−ＦＤＭＡ及びＮＯＭＡなどの多元接続方式に限定されるものでもない。さらに、無線通信システムの制御方法が限定されるものではない。
【実施例１】
【００３１】
図１は、実施例１に係る無線通信システムの概略構成図である。図１に示すように、本実施例に係る無線通信システムは、基地局１、基地局２及び通信端末３を有する。【００３２】
基地局１は、ＰＣｅｌｌであるセル１０を有する。また、基地局２は、ＳＣｅｌｌであるセル２０を有する。ＰＣｅｌｌであるセル１０の中に、複数のＳＣｅｌｌであるセル２０が存在する。基地局１と基地局２とは、有線又は無線で接続され、互いにデータの送受信が可能である。なお、基地局１と基地局２とを併せて１つの基地局としてもよい。この場合、基地局１と基地局２とは装置内部（例えば、装置内部の板フェースなどを介して）で接続され、互いにデータの送受信が可能である。【００３３】
ここで、従来のＣＡでは、例えば基地局１に複数のＣＣが設定されており、同じ基地局１のＣＣでＣＡを実施するものであった。これに対して、現在では、例えば基地局１と他の基地局との間でＣＡを実施することが検討されている。これは、基地局１と他の基地局との間でＤＣ−ＨＳＤＰＡ（Dual  Cell-High  Speed  Downlink  Packet  Access）を実施することに相当する。なお、基地局１と他の基地局との間でＤＣ−ＨＳＤＰＡを実施することは、ＤＢ（Dual  Band）−ＨＳＤＰＡ又は、ＤＢ−ＤＣ−ＨＳＤＰＡと呼ばれ仕様化されている。さらに、４つの周波数を用いる４Ｃ−ＨＳＤＰＡも仕様化されている。【００３４】
以上のＤＣ−ＨＳＤＰＡ、ＤＢ−ＤＣ−ＨＳＤＰＡ及び４Ｃ−ＨＳＤＰＡは、ＣＡと同等と解釈できる。以下では、ＣＡを例に説明するが、断りのない限り、ＤＣ−ＨＳＤＰＡ、ＤＢ−ＤＣ−ＨＳＤＰＡ及び４Ｃ−ＨＳＤＰＡにおいても実施可能である。【００３５】
次に、図２を参照して、基地局１及び２の詳細について説明する。図２は、実施例１に係る各基地局のブロック図である。【００３６】
図２に示すように、基地局１は、ＰＤＣＰ（Packet  Data  Convergence  Protocol）処理部１０１、ＲＬＣ（Radio  Link  Control）処理部１０２、ＭＡＣ（Media  Access  Control）処理部１０３及び物理層処理部１０４を有する。また、基地局１は、ライセンスドバンド制御部１０５を有する。ライセンスドバンド制御部１０５は、他の各処理部と連携して動作を行う。そのため、図示の都合上、ライセンスドバンド制御部１０５は、各処理部にまたがっているが、実際には、各処理部とは別の処理部である。ただし、各処理部と協働する部分を分解して、各処理部の一部と考えることもできる。【００３７】
また、基地局２は、ＰＤＣＰ処理部２０１、ＲＬＣ処理部２０２、ＭＡＣ処理部２０３及び物理層処理部２０４を有する。また、基地局２は、アンライセンスドバンド制御部２０５を有する。【００３８】
ＰＤＣＰ処理部１０１及び２０１は、無線インタフェースを介してネットワークプロトコルを用いて上位装置４との間で通信を行う。上位装置４は、例えば、ＭＭＥ及びＳ−ＧＷを含む。上位装置４は、コアネットワークと考えてもよい。ＰＤＣＰ処理部１０１及び２０１は、データのヘッダ情報の圧縮、データの暗号化及び暗号化の解除（Ciphering  and  deciphering）の機能、制御情報の安全保証提供（Integrity  protection及びintegrity  verification）の機能を有する。ＰＤＣＰ処理部１０１は、下り信号処理部１１１及び上り信号処理部１１２を有する。また、ＰＤＣＰ処理部２０１は、下り信号処理部２１１及び上り信号処理部２１２を有する。ここでは、ＰＤＣＰ処理部１０１を例により具体的に説明する。【００３９】
下り信号処理部１１１は、ユーザデータなどの信号の入力を上位装置４から受ける。そして、下り信号処理部１１１は、受信した信号であるデータパケットを分割（segmentation）し、シーケンス番号（Sequence  number）などのＰＤＣＰヘッダを付加し、ＰＤＣＰ  ＰＤＵ（ＲＬＣ  ＳＤＵ）を作成する。そして、下り信号処理部１１１は、処理を施した送信信号をＲＬＣ処理部１０２の下り信号処理部１２１へ出力する。【００４０】
上り信号処理部１１２は、ユーザデータなどの信号の入力をＲＬＣ処理部１０２の上り信号処理部１２２から受ける。そして、上り信号処理部１１２は、受信したＰＤＣＰ  ＰＤＵ（ＲＬＣ  ＳＤＵ）を結合（Concatenation）し、ＰＤＣＰヘッダを除去し、ＰＤＣＰ  ＳＤＵすなわちＩＰパケットを再生する。そして、上り信号処理部１１２は、上位装置４へ処理を施した信号を送信する。【００４１】
また、ＰＤＣＰ処理部１０１とＰＤＣＰ処理部２０１とはＰＤＣＰ  ＳＤＵを用いて通信を行う。【００４２】
ＲＬＣ処理部１０２及び２０２は、ＡＲＱ（Auto  Repeat  Request：再送処理）機能及び信号の再送処理の制御機能などを有する。ＲＬＣ処理部１０２は、下り信号処理部１２１及び上り信号処理部１２２を有する。また、ＲＬＣ処理部２０２は、下り信号処理部２２１及び上り信号処理部２２２を有する。ここでは、ＲＬＣ処理部１０２を例により具体的に説明する。【００４３】
ＲＬＣ処理部１０２の下り信号処理部１２１は、ＰＤＣＰ処理部１０１の下り信号処理部１１１により処理が施された信号であるＰＤＣＰ  ＰＤＵの入力を受ける。下り信号処理部１２１は、受信したＰＤＣＰ  ＰＤＵ（ＲＬＣ  ＳＤＵ）を分割（segmentation）し、シーケンス番号（Sequence  number）などのＲＬＣヘッダを付加し、ＲＬＣ  ＰＤＵを作成する。そして、下り信号処理部１２１は、生成したＲＬＣ  ＰＤＵをＭＡＣ処理部１０３の下り信号処理部１３１へ出力する。【００４４】
ＲＬＣ処理部１０２の上り信号処理部１２２は、ＭＡＣ処理部１０３の上り信号処理部１３２により処理が施された信号であるＲＬＣ  ＰＤＵ（ＭＡＣ  ＳＤＵ）の入力を受ける。上り信号処理部１２２は、受信したＲＬＣ  ＰＤＵを結合（Concatenation）し、ＲＬＣヘッダを除去し、ＲＬＣ  ＳＤＵ（ＰＤＣＰ  ＰＤＵ）を再生する。そして、上り信号処理部１２２は、再生したＲＬＣ  ＳＤＵをＰＤＣＰ処理部１０１の上り信号処理部１１２へ出力する。【００４５】
ＭＡＣ処理部１０３及び２０３は、通信端末３のＭＡＣとの間でＨＡＲＱ（Hybrid  ARQ）を実施する機能を有する。さらに、ＭＡＣ処理部１０３及び２０３は、どの通信端末との上りデータ伝送及び下りデータ伝送を実施するか、その際の伝送するデータ量、使用する無線リソース、変調方式、符号化率などを選択するスケジューリング機能を有する。さらに、ＭＡＣ処理部１０３及び２０３は、ランダムアクセスや無線回線制御などを行う機能を有する。ＭＡＣ処理部１０３は、下り信号処理部１３１及び上り信号処理部１３２を有する。また、ＭＡＣ処理部２０３は、下り信号処理部２３１及び上り信号処理部２３２を有する。ここでは、ＭＡＣ処理部１０３を例により具体的に説明する。【００４６】
ＭＡＣ処理部１０３の下り信号処理部１３１は、ＲＬＣ処理部１０２からＭＡＣ  ＳＤＵ（ＲＬＣ  ＰＤＵ）の入力を受ける。下り信号処理部１３１は、ＭＡＣ  ＳＤＵを分割（segmentation）し、シーケンス番号（Sequence  number）などのＭＡＣヘッダを付加し、ＭＡＣ  ＰＤＵを作成する。また、下り信号処理部１３１は、信号のスケジューリングの情報にしたがって、信号のスケジューリング、すなわち無線リソースへの割り当てを行う。そして、下り信号処理部１３１は、ＭＡＣ  ＰＤＵを物理層処理部１０４のライセンスドバンド送信部１４１へ出力する。【００４７】
ＭＡＣ処理部１０３の上り信号処理部１３２は、スケジューリングにしたがいＭＡＣ  ＰＤＵの入力を物理層処理部１０４のライセンスドバンド受信部１４２から受ける。そして、上り信号処理部１３２は、ＭＡＣ  ＰＤＵを結合（Concatenation）し、ＭＡＣヘッダを除去し、ＭＡＣ  ＳＤＵ（ＲＬＣ  ＰＤＵ）を再生する。そして、上り信号処理部１３２は、再生したＭＡＣ  ＳＤＵをＲＬＣ処理部１０２の上り信号処理部１２２へ出力する。【００４８】
物理層（Physical  Layer）処理部１０４及び２０４は、無線物理層での同期処理、等化処理、変復調処理、誤り訂正符号処理及びＲＦ（Radio  Frequency）制御を行う。物理層処理部１０４は、ライセンスドバンド送信部１４１及びライセンスドバンド受信部１４２を有する。また、物理層処理部２０４は、アンライセンスドバンド送信部２４１及びアンライセンスドバンド受信部２４２を有する。この物理層処理部１０４及び２０４が、「第２通信部」の一例にあたる。【００４９】
なお、Ｗ−ＣＤＭＡシステムであれば、基地局１は、ＭＡＣ処理部１０３と物理層処理部１０４とで構成され、ＲＮＣ（Radio  Network  Controller）はＰＤＣＰ処理部１０１及びＲＬＣ処理部１０２を含む。この場合、ＲＬＣ処理部１０２は、さらにハンドオーバ制御などの機能を有する。基地局２も、Ｗ−ＣＤＭＡシステムであれば同様の構成を有する。【００５０】
ここで、図３を参照して、物理層処理部１０４の詳細について説明する。図３は、物理層処理部及びライセンスドバンド制御部の詳細を表すブロック図である。ただし、図３では、ライセンスドバンド制御部１０５に関しては、物理層処理において必要な機能のみを詳細に記載してある。【００５１】
ライセンスドバンド受信部１４２は、受信無線部１５１、復調復号部１５２、端末性能情報抽出部１５３、無線回線品質情報抽出部１５４及び無線回線制御情報抽出部１５５を有する。【００５２】
受信無線部１５１は、通信端末３から送出された信号をアンテナを介して受信する。そして、受信無線部１５１は、受信した信号を増幅し、さらに、無線周波数からベースバンド信号へと変換する。そして、受信無線部１５１は、ベースバンド信号に変換した信号を復調復号部１５２へ出力する。【００５３】
復調復号部１５２は、受信無線部１５１から信号の入力を受ける。そして、復調復号部１５２は、受信した信号に復調処理を施す。さらに、復調復号部１５２は、復調処理を施した信号に対して復号処理を施す。そして、復調復号部１５２は、各処理を施した信号を上り信号処理部１３２へ出力する。【００５４】
端末性能情報抽出部１５３は、復調復号部１５２から送出された信号から端末性能情報を抽出する。端末性能情報には、通信端末３のアンライセンスドバンドの使用の可否を示す情報が含まれる。そして、端末性能情報抽出部１５３は、抽出した端末性能情報を端末性能情報制御部１５６へ出力する。なお、アンライセンスバンドの使用の可否とは、端末の機能としてアンライセンスバンドを用いた通信が可能か否かを示すものであり、無線回線品質などの無線環境に基づいた使用の可否とは異なる。【００５５】
無線回線品質情報抽出部１５４は、復調復号部１５２から送出された信号からＲＳＲＰ（Reference  Signal  Received  Power）を含む無線回線品質情報を抽出する。そして、無線回線品質情報抽出部１５４は、抽出した無線回線品質情報を無線回線制御部１５７へ出力する。【００５６】
なお、無線回線品質は、受信電力、パイロット受信電力、受信品質及びパイロット受信品質を総称するものである。受信電力は、受信電界強度であってもよい。パイロット受信電力は、例えばＬＴＥシステムであれば、ＲＳＲＰなどであり、Ｗ−ＣＤＭＡシステムであれば、ＣＰＩＣＨ  ＲＳＣＰ（Common  Pilot  Channel  Received  Signal  Code  Power）などである。受信品質は、例えばＳＩＲ（Signal-noise  Ratio）などである。パイロット受信品質は、例えばＬＴＥシステムであれば、ＲＳＲＱ（Reference  Signal  Received  Quality）などであり、Ｗ−ＣＤＭＡシステムであれば、ＣＰＩＣＨ  Ｅｃ／Ｎ０（Common  Pilot  Channel  received  energy  per  chip  divided  by  the  power  density）などである。【００５７】
無線回線品質情報抽出部１５４は、通信端末３をＳＣｅｌｌに選択させる場合、１つ又は複数のセルの無線回線品質情報を復調復号部１５２から送出された信号から抽出する。そして、無線回線品質情報抽出部１５４は、抽出した無線回線品質情報を無線回線制御部１５７へ出力する。【００５８】
無線回線制御情報抽出部１５５は、復調復号部１５２から送出された信号からランダムアクセスプリアンブルを含む無線回線制御信号を抽出する。次に、無線回線制御情報抽出部１５５は、無線回線制御信号からランダムアクセスプリアンブルを取得する。そして、無線回線制御情報抽出部１５５は、ランダムアクセスプリアンブルを無線回線制御部１５７へ出力する。【００５９】
その後、無線回線制御情報抽出部１５５は、ランダムアクセスプリアンブルの応答として通信端末３から送出されたスケジュールドトランスミッション（Scheduled  transmission）の入力を復調復号部１５２が送出した信号から抽出する。そして、無線回線制御情報抽出部１５５は、スケジュールドトランスミッションを無線回線制御部１５７へ出力する。【００６０】
無線回線制御情報抽出部１５５は、セル２０において無線回線設定に用いる制御情報を復調復号部１５２から送出された信号から抽出する。そして、無線回線制御情報抽出部１５５は、抽出したセル２０において無線回線設定に用いる制御情報を無線回線制御部１５７へ出力する。【００６１】
ライセンスドバンド制御部１０５は、端末性能情報制御部１５６、無線回線制御部１５７、システム情報管理記憶部１５８及び上位処理部１５９を有する。【００６２】
端末性能情報制御部１５６は、端末性能情報を用いて通信端末３がアンライセンスドバンドの使用が可能か否かを判定する。そして、端末性能情報制御部１５６は、通信端末３がアンライセンスドバンドの使用が可能か否かを無線回線制御部１５７へ通知する。この端末性能情報制御部１５６が、「判定部」の一例にあたる。【００６３】
無線回線制御部１５７は、ランダムアクセスプリアンブルの入力を無線回線制御情報抽出部１５５から受ける。そして、無線回線制御部１５７は、ランダムアクセスプリアンブルに対してランダムアクセスレスポンス（random  access  response）を返信するための制御を行う。具体的には、無線回線制御部１５７は、例えば、通信端末３の送信タイミングを制御するＴＡＩ（Timing  Advanced  Indicator）の作成や、非周期的な無線回線測定及び無線回線測定結果報告の実施を要求するための制御の実施などを行う。そして、無線回線制御部１５７は、ランダムアクセスレスポンスのための制御情報を無線回線制御情報作成部１６０へ出力する。【００６４】
また、無線回線制御部１５７は、スケジュールドトランスミッションの入力を無線回線制御情報抽出部１５５から受ける。そして、無線回線制御部１５７は、コンテンションレゾリューション（Contention  Resolution）を通信端末３へ送信するための制御を行う。その後、無線回線制御部１５７は、コンテンションレゾリューションのための制御情報を無線回線制御情報作成部１６０へ出力する。【００６５】
無線回線制御部１５７は、ランダムアクセスが完了し、自装置と通信端末３との間に無線回線が設定された後、端末性能情報要求の送信を端末性能情報要求作成部１６４に指示する。その後、無線回線制御部１５７は、通信端末３がアンライセンスドバンドの使用が可能か否かの情報の入力を端末性能情報制御部１５６から受ける。そして、無線回線制御部１５７は、アンライセンスドバンドの使用が可能か否かの情報を用いて、通信端末３を識別し、端末カテゴリを特定する。無線回線制御部１５７は、例えばアンライセンスドバンドの使用の可否などによるカテゴリ分けにより作成された端末カテゴリが登録されたリストを有する。無線回線制御部１５７は、アンライセンスドバンドを使用することを通知するための制御情報の作成を無線回線制御情報作成部１６０に指示する。また、無線回線制御部１５７は、通信端末３の端末カテゴリの通知を無線回線制御情報作成部１６０に指示する。【００６６】
その後、無線回線制御部１５７は、通信端末３に対するアンライセンスドバンドの使用をシステム情報管理記憶部１５８へ通知する。【００６７】
また、無線回線制御部１５７は、測定周期（または、測定結果報告周期。以下、「測定周期」と総称する。）に沿っていない非周期的（aperiodic）な無線回線品質測定の実施を決定した場合、無線回線品質測定を無線回線制御情報作成部１６０へ通知する。この場合、無線回線制御部１５７は、無線回線品質測定の条件を無線回線制御情報作成部１６０へ送信する。無線回線品質測定（または、無線回線品質測定結果通知。）の条件とは、例えば測定周期や測定する無線リソース（例えばシステム帯域幅全体やシステム帯域幅の一部の帯域幅。）などである。【００６８】
また、無線回線制御部１５７は、非周期的な無線回線品質測定要求に対する応答として無線回線品質測定及び算出の結果の入力を無線回線制御情報抽出部１５５から受ける。そして、無線回線制御部１５７は、取得した無線回線品質を基に下りデータを送信する通信端末を選択する。ここでは、無線回線制御部１５７が通信端末３を選択した場合で説明する。そして、無線回線制御部１５７は、通信端末３に対して下りデータ送信を実施する場合のデータ量、使用する無線リソース、使用する変調方式及び符号化率などを選択する。ここで、使用する無線リソースは、ＬＴＥシステムであれば周波数軸方向及び時間軸方向で構成される無線リソースである。また、Ｗ−ＣＤＭＡであれば、使用する無線リソースは、拡散コードである。次に、無線回線制御部１５７は、選択結果を無線回線制御情報作成部１６０へ出力する。【００６９】
また、無線回線制御部１５７は、通信端末３を含む通信端末から送信されるパイロット信号の入力を無線回線制御情報抽出部１５５から受ける。そして、無線回線制御部１５７は、受信したパイロット信号から上り無線回線品質を測定及び算出する。次に、無線回線制御部１５７は、無線回線品質を基に上りデータ伝送を行う通信端末を選択する。この処理は、一般的にはスケジューリングと呼ばれる場合がある。なお、端末を選択する部分の処理のみをスケジューリングとよぶ場合もある。ここでは、無線回線制御部１５７は、無線回線品質を基に上りデータ伝送を行う通信端末として通信端末３を選んだ場合で説明する。【００７０】
次に、無線回線制御部１５７は、通信端末３が上りデータ送信をする場合のデータ量、使用する無線リソース、使用する変調方式及び符号化率などを選択する。ここで、使用する無線リソースは、ＬＴＥシステムであれば周波数軸方向及び時間軸方向で構成される無線リソースである。また、Ｗ−ＣＤＭＡシステムであれば、使用する無線リソースは、拡散コードである。その後、無線回線制御部１５７は、選択結果を無線回線制御情報作成部１６０へ出力する。【００７１】
さらに、無線回線制御部１５７は、無線回線品質情報抽出部１５４が抽出する無線回線品質を監視する。そして、通信端末３との間の伝送速度と予め決められた伝送速度との差分が閾値を超えるなど無線回線品質が所定の条件を満たした場合、無線回線制御部１５７は、ＣＡの実施を決定する。そして、無線回線制御部１５７は、ＣＡの実施を上位処理部１５９へ通知する。【００７２】
その後、無線回線制御部１５７は、１つ又は複数のセルの通信端末３との間の無線回線品質情報の入力を無線回線品質情報抽出部１５４から受ける。そして、無線回線制御部１５７は、取得した無線回線品質情報を基にＳＣｅｌｌを選択する。ここでは、無線回線制御部１５７が、ＳＣｅｌｌとしてセル２０を選択した場合で説明する。次に、無線回線制御部１５７は、無線回線設定に用いる制御情報の基地局２への要求を、無線回線制御情報作成部１６０に指示する。ここで、無線回線設定に用いる制御情報とは、例えば、端末個別に割り当てられる個別ランダムアクセスプリアンブル（ｄｅｄｉｃａｔｅｄ  ｒａｎｄｏｍ  ａｃｃｅｓｓ  ｐｒｅａｍｂｌｅ（以下、ｄｅｄｉｃａｔｅｄ  ｐｒｅａｍｂｌｅという。））やランダムアクセスに用いる制御情報などである。また、無線回線設定に用いる制御情報にはシステム情報も含まれる。システム情報には、無線回線品質測定の条件、セル選択情報、セルＩＤを含む隣接セル情報、ＭＢＳＦＮ（Multicast  Broadcast  Single  Frequency  Network）関連情報、ネットワーク識別情報、ＣＡ関連情報などが含まれる。また、システム情報には、そのセルに接続する又は接続しようとする通信端末３に共通の制御情報として報知（Broadcast）（送信（transmit））されるものと、そのセルに接続又は接続しようとする通信端末３個別の制御情報として通知（notify）（送信（transmit））されるものとが含まれる。システム情報は、制御情報と解釈することもできる。さらに、ＬＴＥ（ＬＴＥ−Ａｄｖａｎｃｅｄも含む）やＷ−ＣＤＭＡシステムでは、システム情報にあたるものが、システム情報をまとめたシステム情報ブロック（ＭＩＢ：Master  Information  Blockや、ＳＩＢ：System  Information  Block）と呼ばれている。【００７３】
その後、無線回線制御部１５７は、セル２０において無線回線設定に用いる制御情報の入力を無線回線制御情報抽出部１５５から受ける。そして、無線回線制御部１５７は、無線回線設定に用いる制御情報の通知を無線回線制御情報作成部１６０に指示する。【００７４】
その後、無線回線制御部１５７は、セル２０に対するランダムアクセスプリアンブルの入力を無線回線制御情報抽出部１５５から受ける。そして、無線回線制御部１５７は、セル２０に対するランダムアクセスプリアンブルに対してランダムアクセスレスポンスを返信するための制御を行う。そして、無線回線制御部１５７は、セル２０に関するランダムアクセスレスポンスのための制御情報を無線回線制御情報作成部１６０へ出力する。この処理により、基地局１は、通信端末３との間でセル２０をＳＣｅｌｌとした無線回線の設定を行う。【００７５】
上位処理部１５９は、ＰＤＣＰ処理部１０１、ＲＬＣ処理部１０２及びＭＡＣ処理部１０３における制御処理を行う。【００７６】
ライセンスドバンド送信部１４１は、端末性能情報要求作成部１６４、無線回線制御情報作成部１６０、パイロット作成部１６１、同期信号作成部１６２、システム情報作成部１６３、送信無線部１６５及び符号化変調部１６６を有する。【００７７】
端末性能情報要求作成部１６４は、ランダムアクセスが完了し、自装置と通信端末３との間に無線回線が設定された後、端末性能情報要求の送信の指示を無線回線制御部１５７から受ける。そして、端末性能情報要求作成部１６４は、端末性能情報要求を作成する。その後、端末性能情報要求作成部１６４は、作成した端末性能情報要求を符号化変調部１６６へ出力し、通信端末３へ送信する。【００７８】
無線回線制御情報作成部１６０は、ランダムアクセスレスポンスのための制御情報の入力を無線回線制御部１５７から受ける。そして、無線回線制御情報作成部１６０は、取得した制御情報を用いてランダムアクセスレスポンスを作成する。その後、無線回線制御情報作成部１６０は、作成したランダムアクセスレスポンスを符号化変調部１６６へ出力し、通信端末３へ送信する。【００７９】
無線回線制御情報作成部１６０は、コンテンションレゾリューションのための制御情報の入力を無線回線制御部１５７から受ける。そして、無線回線制御情報作成部１６０は、取得した制御情報を用いて、コンテンションレゾリューションを作成する。その後、無線回線制御情報作成部１６０は、作成したコンテンションレゾリューションを符号化変調部１６６へ出力し、通信端末３へ送信する。【００８０】
無線回線制御情報作成部１６０は、測定周期に沿っていない無線回線品質測定の通知を無線回線制御部１５７から受ける。この場合、無線回線制御情報作成部１６０は、無線回線品質測定の条件も無線回線制御部１５７から取得する。そして、無線回線制御情報作成部１６０は、無線回線品質測定の条件を用いて無線回線測定要求を作成する。その後、無線回線制御情報作成部１６０は、作成した無線回線測定要求を符号化変調部１６６へ出力し、通信端末３へ送信する。【００８１】
また、無線回線制御情報作成部１６０は、通信端末３に対して下りデータ送信を実施する場合のデータ量、使用する無線リソース、使用する変調方式及び符号化率などの選択結果の入力を無線回線制御部１５７から受ける。そして、無線回線制御情報作成部１６０は、選択結果を含む下り制御情報を作成する。その後、無線回線制御情報作成部１６０は、作成した選択結果を含む下り制御情報を符号化変調部１６６へ出力し、通信端末３へ送信する。【００８２】
また、無線回線制御情報作成部１６０は、通信端末３が上りデータ送信をする場合のデータ量、使用する無線リソース、使用する変調方式及び符号化率などの選択結果の入力を無線回線制御部１５７から受ける。そして、無線回線制御情報作成部１６０は、選択結果を含む上り制御情報を作成する。その後、無線回線制御情報作成部１６０は、作成した選択結果を含む上り制御情報を符号化変調部１６６へ出力し、通信端末３へ送信する。【００８３】
さらに、無線回線制御情報作成部１６０は、アンライセンスドバンドを使用することを通知するための制御情報の作成の指示を無線回線制御部１５７から受ける。そして、無線回線制御情報作成部１６０は、アンライセンスドバンド使用通知を作成する。その後、無線回線制御情報作成部１６０は、作成したアンライセンスドバンド使用通知を符号化変調部１６６へ出力し、通信端末３へ送信する。また、無線回線制御情報作成部１６０は、通信端末３への端末カテゴリの通知の指示を無線回線制御部１５７から受ける。そして、無線回線制御情報作成部１６０は、端末カテゴリを通知する制御情報を作成する。その後、無線回線制御情報作成部１６０は、端末カテゴリを通知する制御情報を符号化変調部１６６へ出力し、通信端末３へ送信する。【００８４】
また、ＣＡを行う場合、無線回線制御情報作成部１６０は、無線回線設定に用いる制御情報の基地局２への要求の指示を無線回線制御部１５７から受ける。そして、無線回線制御情報作成部１６０は、無線回線設定に用いる制御情報の要求を作成する。その後、無線回線制御情報作成部１６０は、作成した無線回線設定に用いる制御情報の要求を符号化変調部１６６へ出力し、基地局２へ送信する。【００８５】
また、無線回線制御情報作成部１６０は、セル２０において無線回線設定に用いる制御情報の通知の指示を無線回線制御部１５７から受ける。そして、無線回線制御情報作成部１６０は、セル２０において無線回線設定に用いる制御情報を通知するための制御情報を作成する。その後、無線回線制御情報作成部１６０は、作成したセル２０において無線回線設定に用いる制御情報を通知するための制御情報を符号化変調部１６６へ出力し、基地局２へ送信する。この時、無線回線制御情報作成部１６０は、例えばセルＩＤなどのセル制御情報などを含むセル２０のセル情報を併せて通信端末３に通知してもよいし、ネットワーク識別情報などのセル２０が接続するネットワークに関する情報を改めて通知してもよい。【００８６】
さらに、無線回線制御情報作成部１６０は、セル２０に関するランダムアクセスレスポンスのための制御情報の入力を無線回線制御部１５７から受ける。そして、無線回線制御情報作成部１６０は、取得した制御情報を用いてセル２０に関するランダムアクセスレスポンスを作成する。その後、無線回線制御情報作成部１６０は、作成したセル２０に関するランダムアクセスレスポンスを符号化変調部１６６へ出力し、通信端末３へ送信する。この無線回線制御情報作成部１６０が、「無線回線品質測定要求通知部」の一例にあたる。【００８７】
システム情報管理記憶部１５８は、無線回線品質測定の条件、セル選択情報、セルＩＤを含む隣接セル情報、ＭＢＳＦＮ関連情報、ネットワーク識別情報、ＣＡ関連情報などを含むシステム情報を記憶し、管理する。システム情報管理記憶部１５８が記憶するシステム情報の内容は、例えば図４で示される。図４は、システム情報の一例を表す図である。無線回線品質測定の条件は、例えば、測定する帯域幅、測定周期及び測定するセルの情報などを含む。ネットワーク識別情報は、基地局１が属するネットワークを示す情報である。【００８８】
ここで、セルＩＤは、セル識別子、Ｃ（Cell）−ＩＤ、物理セルＩＤ、ＰＣ（Physical  Cell）−ＩＤ又はＰＣＩＤとも呼ばれる。セルＩＤは、セルを識別するためのＩＤである。セルＩＤは、無線回線品質測定やハンドオーバなどにおいて、セルを識別するために用いられる。ＬＴＥシステムでは、待ち受けするセル又は接続セルにおいて、同期信号を受信することで、通信端末３はそのセルのセルＩＤを認識することができる。【００８９】
このセルＩＤは、例えばＬＴＥシステムでは以下のように設定されている。すなわち、３つのセルＩＤで構成されたグループが１６８グループあり、計５０４個のセルＩＤが設定可能である。以下の数式（１）でセルＩＤが算出される。【００９０】
【数１】
2016181537.tif 000003
【００９１】
セルＩＤを如何に割り当てるかについては、３ＧＰＰでは規定されていない。すなわち、セルＩＤは、例えば同じＬＴＥシステムであっても、通信事業者が異なれば、その割り当て方法は異なる。なお、Ｎ（２）ＩＤはセルＩＤのグループ番号と解釈され、Ｎ（１）ＩＤはグループの中の番号と解釈される。【００９２】
システム情報作成部１６３は、回線設定後又はランダムアクセスを実施する前に、ネットワーク識別情報をシステム情報管理記憶部１５８から取得する。そして、システム情報作成部１６３は、取得したネットワーク識別情報を用いてシステム情報を作成する。このシステム情報には、ランダムアクセスに関する制御情報も含まれる。その後、システム情報作成部１６３は、作成したネットワーク識別情報を含むシステム情報を符号化変調部１６６へ出力し、通信端末３へ送信する。【００９３】
また、システム情報作成部１６３は、無線回線品質測定の条件をシステム情報管理記憶部１５８から取得する。そして、システム情報作成部１６３は、取得した無線回線品質測定の測定条件をシステム情報として作成する。その後、システム情報作成部１６３は、作成した無線回線品質測定の測定条件を含むシステム情報を符号化変調部１６６へ出力し、通信端末３へ送信する。なお、システム情報作成部１６３は、システム情報を通信端末毎の個別の制御情報として通信端末に通知する場合と、セル１０で待ち受け（キャンピング）中又はセル１０に接続中の通信端末の全部又は一部の通信端末に共通の共通制御情報として送信する場合がある。また、システム情報には、測定帯域幅やセル選択の優先度などが含まれてもよい。【００９４】
同期信号作成部１６２は、システム情報管理記憶部１５８に記憶されたセルＩＤを基に、同期信号（同期信号列）を算出する。同期信号は１つの信号（シンボル）で構成される場合もあるが、一般的には複数の信号（シンボル）で構成される。よって、同期信号列でもあるがここでは同期信号と総称する。その後、同期信号作成部１６２は、作成した同期信号を符号化変調部１６６へ出力し、通信端末３へ送信する。なお、ＬＴＥシステムでは同期信号として２つの同期信号が規定されている、一方は、第１の同期信号(ＰＳＳ：Primary  Synchronization  Signal)であり、他方は第２の同期信号(ＳＳＳ：Secondary  Synchronization  Signal)である。なお、ＬＴＥシステムでは、同期チャネルは存在せず、同期信号のみ定義されている。ただし、この２つの同期信号は、実際には複数のシンボルで構成されている。【００９５】
パイロット作成部１６１は、パイロット信号（パイロット信号列）を算出する。パイロット信号（パイロット、パイロットシンボル）も１つの信号（シンボル）で構成される場合もあるが、一般的には複数の信号（シンボル）で構成される。よって、パイロット信号列でもあるが、ここでは、パイロット信号と総称する。そして、パイロット作成部１６１は、作成したパイロット信号を符号化変調部１６６へ出力し、通信端末３へ送信する。なお、パイロット信号を伝送するパイロットチャネルである場合も同様に本願技術を適用できるものである。【００９６】
ここで、ＰＳＳ及びＳＳＳの算出について説明する。ＰＳＳの算出方法は以下の数式（２）及び表（１）で規定される。すなわち、ＰＳＳは、セルＩＤグループの番号Ｎ（２）ＩＤを基に算出される。【００９７】
【数２】
2016181537.tif 000004
【００９８】
【表１】
2016181537.tif 000005
【００９９】
さらに、ＰＳＳは、Ｚａｄｏｆｆ−Ｃｈｕシーケンス(Ｚａｄｏｆｆ−Ｃｈｕ符号)である。Ｚａｄｏｆｆ−Ｃｈｕシーケンスは、ＣＡＺＡＣ（Constant  Amplitude  Zero  Auto  Correlation  waveform）であり、１の補数の周期的な複素信号であり、自己相関がゼロの系列である。なお、ＰＳＳは、上記により算出された６２個の複素数の信号をＯＦＤＭＡ（Orthogonal  Frequency-Division  Multiple  Access）の周波数軸方向(サブキャリア方向)にマッピングすることで表される。また、ＰＳＳは、スクランブリングされていない。【０１００】
６２個の複素数の信号のマッピングは、次の数式（３）にしたがって行われる。【０１０１】
【数３】
2016181537.tif 000006
【０１０２】
ここで、（ｋ，ｌ）は、ＰＳＳの送信に用いられるＯＦＤＭＡのシンボルにおけるリソースエレメントである。【０１０３】
そして、例えば、ＰＳＳは、フレーム構造がタイプ１の場合、スロット０及び１０の最後のシンボル、すなわちＮｏｒｍａｌ  ｓｕｂｆｒａｍｅにおけるｌ＝６において、周波数方向、すなわちサブキャリア方向にマッピングされる。具体的には、ＰＳＳは、中心の６ＲＢの周波数中心から±３１シンボルに配置される。ＰＳＳは、両端の５シンボルには配置されない。【０１０４】
通信端末３は、時間軸方向の最後のシンボルに配置されることからスロットの先頭を識別できる。すなわち、通信端末３は、以下の数式（４）により、スロットの同期をとることができる。【０１０５】
【数４】
2016181537.tif 000007
【０１０６】
また、ＳＳＳの算出方法は以下の手順により行われる。ＳＳＳを表すｄ（０），・・・，ｄ（６１）は、ＰＳＳによって与えられるスクランブル系列を用いて求められる２つの長さ３１のバイナリ系列である。ＳＳＳを定義するこの２つの長さ３１のバイナリ系列は、次の数式（５）によりサブフレーム０と５との間で定義される。なお、算出した系列に対してスクランブルを施した系列であるとも解釈できる。【０１０７】
【数５】
2016181537.tif 000008
【０１０８】
ここで、０≦ｎ≦３０である。そして、ｍ０及びｍ１は、セルＩＤグループＮ（１）ＩＤを用いて次の数式（６）ように表される。【０１０９】
【数６】
2016181537.tif 000009
【０１１０】
これらは、図５に示すマッピングテーブルのように表される。図５は、セルＩＤグループＮ（１）ＩＤとｍ０及びｍ１との間の対応を示すマッピングテーブルを表す図である。【０１１１】
そして、Ｓ０（ｍ０）（ｎ）とＳ１（ｍ１）（ｎ）とは、数式（７）のように表される。【０１１２】
【数７】
2016181537.tif 000010
【０１１３】
そして、各項は次の数式（８）を満たす。【０１１４】
【数８】
2016181537.tif 000011
【０１１５】
この場合、初期値は、ｘ（０）＝０，ｘ（１）＝０，ｘ（２）＝０，ｘ（３）＝０，ｘ（４）＝１である。【０１１６】
さらに、ＰＳＳに依存する２つのスクランブル系列であるｃ０（ｎ）及びｃ１（ｎ）は、次の数式（９）で表される。【０１１７】
【数９】
2016181537.tif 000012
【０１１８】
ここで、Ｎ（２）ＩＤ∈｛０，１，２｝は、セルＩＤグループＮ（１）ＩＤの中の何れかにあたる。さらに、各項は次の数式（１０）を満たす。【０１１９】
【数１０】
2016181537.tif 000013
【０１２０】
この場合、初期値は、ｘ（０）＝０，ｘ（１）＝０，ｘ（２）＝０，ｘ（３）＝０，ｘ（４）＝１である。【０１２１】
また、スクランブル系列Ｚ１（ｍ０）（ｎ）とＺ１（ｍ１）（ｎ）は、次の数式（１１）で表される。【０１２２】
【数１１】
2016181537.tif 000014
【０１２３】
ここで、ｍ０及びｍ１は、図５のマッピングテーブルから得られる値である。また、各項は次の数式（１２）を満たす。【０１２４】
【数１２】
2016181537.tif 000015
【０１２５】
この場合、初期値は、ｘ（０）＝０，ｘ（１）＝０，ｘ（２）＝０，ｘ（３）＝０，ｘ（４）＝１である。【０１２６】
以上のことから、ＳＳＳは、サブフレーム番号０すなわちスロット番号０で送信する場合と、サブフレーム番号５すなわちスロット番号１０で送信する場合とで異なる算出式で表される。さらに、ＳＳＳは、生成される複素信号の奇数番目と偶数番目で算出式が異なる。また、ＳＳＳは、ＰＳＳと同様に６２個の複素数で構成される信号列である。【０１２７】
さらに、ｃ０（ｎ）及びｃ１（ｎ）は、Ｍ系列（M  sequence,  maximal  length  sequence）又はＰＮ（Pseudo  Noise）系列（疑似雑音系列）であり、そのセルＩＤが属するグループの番号Ｎ（１）ＩＤの中の番号であるＮ（２）ＩＤを用いて算出したものである。【０１２８】
また、Ｓ０（ｍ０）（ｎ）及びＳ１（ｍ１）（ｎ）も、同様にＭ系列であり、そのセルＩＤが属するグループの番号Ｎ（１）ＩＤとＮ（１）ＩＤ及び図５のマッピングテーブルから導き出したｍ０及びｍ１とから算出される。【０１２９】
さらに、ＳＳＳのマッピングについて説明する。ＳＳＳを表す系列ｄ（ｎ）は、次の数式（１３）で表されるようにリソースエレメントにマッピングされる。【０１３０】
【数１３】
2016181537.tif 000016
【０１３１】
ここで、リソースエレメント（ｋ，ｌ）は次の数式（１４）で表される。【０１３２】
【数１４】
2016181537.tif 000017
【０１３３】
このことから、例えばタイプ１すなわちＦＤＤ（Frequency  Division  Duplex）の場合、スロット０及びスロット１０の最後から１つ前のシンボルにＳＳＳが配置される。なお、最後のシンボルはＮＤＬｓｙｍｂ−１である。ここで、ＤＬ（Down  Link）は下り伝送であることを示す。また、symbはSymbolであり、時間軸方向のシンボルであることを示している。また、ＰＳＳと同様に、周波数軸方向に中心、すなわち、帯域幅の中心の６ＲＢの中心周波数から±３１シンボルに配置される。また、スロット０とスロット１０とで送信されるＳＳＳが異なることから、無線フレームの先頭を特定することができる。【０１３４】
次に、パイロット信号の算出について説明する。ここでは、セル共通、すなわちそのセルに接続または接続しようとする端末に共通のパイロット信号であるＣｅｌｌ−ｓｐｅｃｉｆｉｃ  ｒｅｆｅｒｅｎｃｅ  ｓｉｇｎａｌ（ＣＲＳ（Cell-specific  reference  signal）ともいう。）について説明する。なおここでは説明しないが、端末個別のパイロット信号であるＵＥ−ｓｐｅｃｉｆｉｃ  ｒｆｅｒｅｎｃｅ  ｓｉｇｎａｌ（ＤＲＳ（Dedicated  reference  signal）ともいう。）についても同様にパイロット信号の算出方法が規定されている。さらに、ＭＢＭＳ（Multimedia  Broadcast  and  Multicast  Service）データを送信するためのパイロットについても同様にパイロット信号の算出方法が規定されている。なお、断りのない限りこれらのパイロット信号に対しても本願技術を適用可能である。【０１３５】
パイロット信号は、次の数式（１５）で表される。【０１３６】
【数１５】
2016181537.tif 000018
【０１３７】
ここで、ｎｓは、無線フレームのスロット番号であり、ｌは、スロットのＯＦＤＭＡシンボル番号である。なお式におけるｃ（ｉ）は、初期値を以下の数式（１６Ａ）で表される値とする疑似雑音符号（ＰＮ符号、Pseudo-random  Noise  sequence、Pseudo-random  sequence）のうちのゴールド符号（Gold  sequence）である。ゴールド符号は、初期値の異なる２つのＰＮ符号を繋げて生成される。【０１３８】
【数１６Ａ】
2016181537.tif 000019
【０１３９】
数式（１６Ａ）は、スロット番号ＮｓとＩＤとＣＰ長を示す１ビットの情報に基づいて算出される。【０１４０】
ここで、ゴールド符号は次の数式（１６Ｂ）で算出される。【０１４１】
【数１６Ｂ】
2016181537.tif 000020
【０１４２】
ここで、ゴールド符号は、２つの初期値を有しており、一方は数式（１６Ａ）で表される。そして、ゴールド符号の他方の初期値は、Ｘ１（０）＝１，Ｘ１（ｎ）＝０である。【０１４３】
さらに、パイロット信号は、次の数式（１７）で定義される、スロットｎｓにおけるアンテナポートｐに関する参照シンボルとして用いられるａ（ｐ）ｋ，ｌにマッピングされる。【０１４４】
【数１７】
2016181537.tif 000021
【０１４５】
ここで、νは、次の数式（１８）で表される。νｓｈｉｆｔについても同様である。【０１４６】
【数１８】
2016181537.tif 000022
【０１４７】
さらに、図６及び７を参照して、ＰＳＳ、ＳＳＳ及びパイロット信号のマッピングについて説明する。図６は、フレームの構造を示す図である。図７は、１つのサブフレームにおけるＰＳＳ、ＳＳＳ及びパイロット信号の配置について説明するための図である。ここでは、ＦＤＤの場合を例に説明する。【０１４８】
図６における上段の数字はサブフレームの番号を示す。また、図６における下段の数字は、タイムスロットのスロット番号を表す。図６に示すように、１０ｍｓの無線フレームは、１０個のサブフレームを有する。そして、各サブフレームは、２つずつスロットが割り当てられている。【０１４９】
そして、符号５０１及び５０２で表されるスロット０及び１０にＰＳＳ及びＳＳＳが図７に示すようにマッピングされる。図７は、スロット０を拡大した状態を表す。図７の枠５１１は、リソースエレメントを示している。さらに、図７は縦方向で周波数を表し、横方向で時間を表す。領域５１２は、スロット０の６番目のシンボルであり、ＳＳＳがマッピングされる。また、領域５１３は、スロット０の７番目のシンボルであり、ＰＳＳがマッピングされる。そして、領域５１４には、パイロット信号がマッピングされる。【０１５０】
符号化変調部１６６は、下り信号処理部１３１、端末性能情報要求作成部１６４、無線回線制御情報作成部１６０、パイロット作成部１６１、同期信号作成部１６２及びシステム情報作成部１６３から各種信号の入力を受ける。符号化変調部１６６は、入力された信号に対して符号化及び変調を施す。さらに、符号化変調部１６６は、入力された信号を無線フレーム、スロット又はサブフレームにマッピングする。符号化変調部１６６は、マッピングした信号を送信無線部１６５へ出力する。【０１５１】
送信無線部１６５は、無線フレーム、スロット又はサブフレームにマッピングされた信号の入力を符号化変調部１６６から受ける。そして、送信無線部１６５は、マッピングされた信号の周波数を無線周波数へ変換する。さらに、送信無線部１６５は、マッピングされた信号を増幅する。その後、送信無線部１６５は、マッピングされた信号をアンテナを介して通信端末３へ送信する。【０１５２】
次に、図８を参照して、基地局２の物理層処理部２０４の詳細について説明する。図８は、物理層処理部及びアンライセンスドバンド制御部の詳細を表すブロック図である。ただし、図８では、アンライセンスドバンド制御部２０５に関しては、物理層処理において必要な機能のみを詳細に記載してある。基地局２は、ＳＣｅｌｌに対して以下の処理を行う。【０１５３】
アンライセンスドバンド受信部２４２は、受信無線部２５１、復調復号部２５２、無線回線品質情報抽出部２５４及び無線回線制御情報抽出部２５５を有する。【０１５４】
受信無線部２５１は、通信端末３から送出された信号をアンテナを介して受信する。そして、受信無線部２５１は、受信した信号を増幅し、さらに、無線周波数からベースバンド信号へと変換する。そして、受信無線部２５１は、ベースバンド信号に変換した信号を復調復号部２５２へ出力する。【０１５５】
復調復号部２５２は、受信無線部２５１から信号の入力を受ける。そして、復調復号部２５２は、受信した信号に復調処理を施す。さらに、復調復号部２５２は、復調処理を施した信号に対して復号処理を施す。そして、復調復号部２５２は、各処理を施した信号を上り信号処理部２３２へ出力する。【０１５６】
無線回線品質情報抽出部２５４は、復調復号部２５２から送出された信号からＲＳＲＰを含む無線回線品質情報を抽出する。そして、無線回線品質情報抽出部２５４は、抽出した無線回線品質情報を無線回線制御部２５７へ出力する。【０１５７】
無線回線制御情報抽出部２５５は、復調復号部２５２から送出された信号からランダムアクセスプリアンブルを含む無線回線制御信号を抽出する。次に、無線回線制御情報抽出部２５５は、無線回線制御信号からランダムアクセスプリアンブルを取得する。そして、無線回線制御情報抽出部２５５は、ランダムアクセスプリアンブルを無線回線制御部２５７へ出力する。【０１５８】
その後、無線回線制御情報抽出部２５５は、ランダムアクセスプリアンブルの応答として通信端末３から送出されたスケジュールドトランスミッション（Scheduled  transmission）の入力を復調復号部２５２が送出した信号から抽出する。そして、無線回線制御情報抽出部２５５は、スケジュールドトランスミッションを無線回線制御部２５７へ出力する。【０１５９】
アンライセンスドバンド制御部２０５は、無線回線制御部２５７、システム情報管理記憶部２５８及び上位処理部２５９を有する。【０１６０】
無線回線制御部２５７は、ｄｅｄｉｃａｔｅｄ  ｐｒｅａｍｂｌｅなどの無線回線設定に用いる制御情報の要求を無線回線制御情報抽出部２５５から受ける。そして、無線回線制御部２５７は、無線回線設定に用いる制御情報を無線回線制御情報作成部２６０へ出力する。さらに、無線回線制御部２５７は、無線回線設定に用いる制御情報の要求の中からシステム情報要求を取得する。そして、無線回線制御部２５７は、システム要求をシステム情報管理記憶部２５８を介して、システム情報作成部２６３へ出力する。【０１６１】
また、無線回線制御部２５７は、測定周期に沿っていない無線回線品質測定の実施を決定した場合、無線回線品質測定を無線回線制御情報作成部２６０へ通知する。この場合、無線回線制御部２５７は、無線回線品質測定の条件を無線回線制御情報作成部２６０へ送信する。【０１６２】
無線回線制御部２５７は、非周期的な無線回線品質測定要求に対する応答として無線回線品質測定及び算出の結果の入力を無線回線制御情報抽出部２５５から受ける。そして、無線回線制御部２５７は、取得した無線回線品質を基に下りデータを送信する通信端末を選択する。ここでは、無線回線制御部２５７が通信端末３を選択した場合で説明する。そして、無線回線制御部２５７は、通信端末３に対して下りデータ送信を実施する場合のデータ量、使用する無線リソース、使用する変調方式及び符号化率などを選択する。次に、無線回線制御部２５７は、選択結果を無線回線制御情報作成部２６０へ出力する。【０１６３】
また、無線回線制御部２５７は、通信端末３を含む通信端末から送信されるパイロット信号の入力を無線回線制御情報抽出部２５５から受ける。そして、無線回線制御部２５７は、受信したパイロット信号から上り無線回線品質を測定及び算出する。次に、無線回線制御部２５７は、無線回線品質を基に上りデータ伝送を行う通信端末を選択する。ここでは、無線回線制御部２５７は、無線回線品質を基に上りデータ伝送を行う通信端末として通信端末３を選んだ場合で説明する。【０１６４】
次に、無線回線制御部２５７は、通信端末３が上りデータ送信をする場合のデータ量、使用する無線リソース、使用する変調方式及び符号化率などを選択する。その後、無線回線制御部２５７は、選択結果を無線回線制御情報作成部２６０へ出力する。【０１６５】
上位処理部２５９は、ＰＤＣＰ処理部２０１、ＲＬＣ処理部２０２及びＭＡＣ処理部２０３における制御処理を行う。【０１６６】
アンライセンスドバンド送信部２４１は、無線回線制御情報作成部２６０、パイロット作成部２６１、同期信号作成部２６２、システム情報作成部２６３、送信無線部２６５及び符号化変調部２６６を有する。【０１６７】
無線回線制御情報作成部２６０は、測定周期に沿っていない無線回線品質測定の通知を無線回線制御部２５７から受ける。この場合、無線回線制御情報作成部２６０は、無線回線品質測定の条件も無線回線制御部２５７から取得する。そして、無線回線制御情報作成部２６０は、無線回線品質測定の条件を用いて無線回線測定要求を作成する。その後、無線回線制御情報作成部２６０は、作成した無線回線測定要求を符号化変調部２６６へ出力し、通信端末３へ送信する。【０１６８】
また、無線回線制御情報作成部２６０は、通信端末３に対して下りデータ送信を実施する場合のデータ量、使用する無線リソース、使用する変調方式及び符号化率などの選択結果の入力を無線回線制御部２５７から受ける。そして、無線回線制御情報作成部２６０は、選択結果を含む下り制御情報を作成する。その後、無線回線制御情報作成部２６０は、作成した選択結果を含む下り制御情報を符号化変調部２６６へ出力し、通信端末３へ送信する。【０１６９】
また、無線回線制御情報作成部２６０は、通信端末３が上りデータ送信をする場合のデータ量、使用する無線リソース、使用する変調方式及び符号化率などの選択結果の入力を無線回線制御部２５７から受ける。そして、無線回線制御情報作成部２６０は、選択結果を含む上り制御情報を作成する。その後、無線回線制御情報作成部２６０は、作成した選択結果を含む上り制御情報を符号化変調部２６６へ出力し、通信端末３へ送信する。【０１７０】
システム情報管理記憶部２５８は、無線回線品質測定の条件、セル選択情報、隣接セル情報、ＭＢＳＦＮ関連情報、ネットワーク識別情報、ＣＡ関連情報などを記憶し、管理する。【０１７１】
システム情報作成部２６３は、システム情報要求をシステム情報管理記憶部２５８を介して、無線回線制御部２５７から受ける。そして、システム情報作成部２６３は、ネットワーク識別情報などの情報をシステム情報管理記憶部２５８から取得する。そして、システム情報作成部２６３は、取得したネットワーク識別情報などを用いてシステム情報を作成する。その後、システム情報作成部２６３は、作成したネットワーク識別情報を含むシステム情報を符号化変調部２６６へ出力し、基地局１へ送信する。【０１７２】
また、システム情報作成部２６３は、無線回線品質測定の条件をシステム情報管理記憶部２５８から取得する。そして、システム情報作成部２６３は、取得した無線回線品質測定の測定条件をシステム情報として作成する。その後、システム情報作成部２６３は、作成した無線回線品質測定の測定条件を含むシステム情報を符号化変調部２６６へ出力し、基地局１へ送信する。【０１７３】
同期信号作成部２６２は、システム情報管理記憶部２５８から通信端末３の周辺セルのセルＩＤを取得する。そして、同期信号作成部２６２は、同期信号（同期信号列）を算出する。その後、同期信号作成部２６２は、作成した同期信号を符号化変調部２６６へ出力し、通信端末３へ送信する。【０１７４】
パイロット作成部２６１は、アンライセンスドバンド使用通知が通信端末３に送信された後、パイロット信号（パイロット信号列）を算出する。そして、パイロット作成部２６１は、作成したパイロット信号を符号化変調部２６６へ出力し、通信端末３へ送信する。【０１７５】
ただし、アンライセンスドバンドを使用する基地局２では、ライセンスドバンドを使用するセルとは異なる処理が行われる。アンライセンスドバンドは、他のシステムが使用することも可能である。よって、アンライセンスドバンドを使用する場合、すなわちアンライセンスドバンドの周波数を用いて送信を行う場合には、その周波数が使用されていないことを確認する。具体的には、無線回線制御部２５７は、受信無線部２５１によりアンライセンスドバンドの周波数で受信された信号の無線回線品質情報の入力を無線回線品質情報抽出部２５４から受ける。そして、無線回線制御部２５７は、アンライセンスドバンドの周波数で受信された信号の中に、雑音ではなく有意な無線信号が存在しているか否かを判定する。例えば、無線回線制御部２５７は、アンプを用いたＲＳＳＩ（Received  Signal  Strength  Indicator）が閾値以上である場合や、検波器出力が閾値以上である場合、有意な無線信号が存在している、すなわち他者が使用していると判定する。その場合、無線回線制御部２５７は、その周波数を用いた送信を一定期間は行わない。なお、有意な無線信号とは、熱雑音などの雑音ではないことを意味する。【０１７６】
無線回線制御部２５７は、アンライセンスドバンドを他者が使用していると判断され、送信できないと判断した場合、アンライセンスドバンドの別な周波数で同様に他者が使用しているか否かを確認する。又は、無線回線制御部２５７は、一定時間が経過後に同様に他者が使用しているか否かを確認する。この一定時間とは、法律的に時間間隔が規定されている場合もある。【０１７７】
一方、アンライセンスドバンドを他者が使用していないと判断した場合は、無線回線制御部２５７は、同期信号やパイロットの送信(報知)をシステム情報管理記憶部２５８を介して同期信号作成部２６２及びパイロット作成部２６１に指示する。なお、このように送信前に衝突しないことを確認する方法は、ＬＢＴ（Listen  Before  Talk）やＣＳＭＡ／ＣＡと呼ばれている。【０１７８】
符号化変調部２６６は、下り信号処理部２３１、無線回線制御情報作成部２６０、パイロット作成部２６１、同期信号作成部２６２及びシステム情報作成部２６３から各種信号の入力を受ける。符号化変調部２６６は、入力された信号に対して符号化及び変調を施す。さらに、符号化変調部２６６は、入力された信号を無線フレーム、スロット又はサブフレームにマッピングする。符号化変調部２６６は、マッピングした信号を送信無線部２６５へ出力する。【０１７９】
送信無線部２６５は、無線フレーム、スロット又はサブフレームにマッピングされた信号の入力を符号化変調部２６６から受ける。そして、送信無線部２６５は、マッピングされた信号の周波数を無線周波数へ変換する。さらに、送信無線部２６５は、マッピングされた信号を増幅する。その後、送信無線部２６５は、マッピングされた信号をアンテナを介して通信端末３へ送信する。【０１８０】
以上の説明では、ＰＣｅｌｌ及びＳＣｅｌｌともに同様のデータ伝送の制御を行っているが、例えば、ＰＣｅｌｌではユーザデータの伝送は実施せず、ＳＣｅｌｌのみユーザデータの伝送を実施するようにしてもよい。なお、ＰＣｅｌｌのみシステム情報の伝送を実施し、ＳＣｅｌｌではシステム情報の伝送をしないようにしてもよい。【０１８１】
次に、図９を参照して、通信端末３について説明する。図９は、通信端末のブロック図である。通信端末３は、受信部３１、制御部３２、送信部３３及びベースバンド処理部３４を有する。【０１８２】
受信部３１は、受信無線部３０１、復調復号部３０２、システム情報抽出部３０３、無線回線制御情報抽出部３０４、パイロット抽出部３０５、同期制御部３０６及び同期信号抽出部３０７を有する。さらに、受信部３１は、セルＩＤ抽出部３０８、端末性能情報要求抽出部３０９、無線回線品質測定算出部３１０、同期信号作成部３１１及びパイロット算出部３１２を有する。【０１８３】
受信無線部３０１は、基地局１及び２から送出された信号をアンテナを介して受信する。ここで、受信無線部３０１は、受信対象の周波数帯域の指示を端末設定制御部３２１から受ける。そして、受信無線部３０１は、受信した信号を増幅し、さらに、無線周波数からベースバンド信号へと変換する。そして、受信無線部３０１は、ベースバンド信号に変換した信号を復調復号部３０２へ出力する。【０１８４】
復調復号部３０２は、受信無線部３０１から信号の入力を受ける。そして、復調復号部３０２は、受信した信号に復調処理を施す。さらに、復調復号部３０２は、復調処理を施した信号に対して復号処理を施す。復調復号部３０２は、所定の変調符号化方式又は端末設定制御部３２１から指示された変調符号化方式に対応する方法で、復調及び復号を行う。そして、復調復号部３０２は、各処理を施した信号をベースバンド処理部３４へ出力する。【０１８５】
システム情報抽出部３０３は、定期的に基地局１又は２から送信されるシステム情報を、復調復号部３０２から送出された信号から抽出する。そして、システム情報抽出部３０３は、抽出したシステム情報をシステム情報記憶部３２３に記憶させる。また、システム情報抽出部３０３は、抽出したシステム情報を端末設定制御部３２１、セル選択制御部３２２及び無線回線制御部３２４へ出力する。【０１８６】
無線回線制御情報抽出部３０４は、基地局１又は２がＰＤＣＣＨで送信したＬ（Layer）１／Ｌ２の制御情報を、復調復号部３０２から送出された信号から抽出する。この制御情報には、ＵＬ（Up  Link）無線リソースの割り当てや適用される変調符号化方式を示す情報などが含まれる。さらに、この制御情報には、アンライセンスドバンド使用通知が含まれる。そして、無線回線制御情報抽出部３０４は、抽出した制御情報を無線回線制御部３２４へ出力する。【０１８７】
また、無線回線制御情報抽出部３０４は、無線回線品質測定要求を復調復号部３０２から送出された信号から抽出する。そして、無線回線制御情報抽出部３０４は、抽出した無線回線品質測定要求を無線回線制御部３２４へ出力する。【０１８８】
また、無線回線制御情報抽出部３０４は、基地局１又は２から送信された無線回線制御要求を、復調復号部３０２からの送出された信号から抽出する。そして、無線回線制御情報抽出部３０４は、無線回線制御要求を無線回線品質測定算出部３１０及び無線回線制御部３２４へ出力する。【０１８９】
パイロット抽出部３０５は、同期制御部３０６で検出された無線フレームやスロットのタイミングに基づいて、復調復号部３０２から送出された信号からパイロット信号を抽出する。そして、パイロット抽出部３０５は、抽出したパイロット信号を同期制御部３０６及び無線回線品質測定算出部３１０へ出力する。例えばＬＴＥシステムの場合であれば、パイロット信号は、参照信号（ＲＳ：Reference  Signal）である。【０１９０】
同期信号抽出部３０７は、基地局１がＰＳＳおよびＳＳＳで送信した同期信号をＣＣ毎に復調復号部３０２から送出された信号から抽出する。そして、同期信号抽出部３０７は、同期信号をセルＩＤ抽出部３０８及び同期制御部３０６へ出力する。【０１９１】
同期制御部３０６は、同期信号抽出部３０７で抽出された同期信号に基づいて、無線フレームのタイミング及びスロットのタイミングを検出する。そして、同期制御部３０６は、検出した無線フレーム及びスロットのタイミングを、端末設定制御部３２１、パイロット抽出部３０５に通知する。また、同期制御部３０６は、検出した無線フレーム及びスロットのタイミングを同期信号抽出部３０７にフィードバックする。【０１９２】
さらに、同期制御部３０６は、パイロット算出部３１２が算出したパイロットの入力を受ける。そして、同期制御部３０６は、パイロット抽出部３０５で抽出されたパイロット信号及びパイロット算出部３１２が算出したパイロットに基づいて、シンボル同期を行う。シンボル同期とは、シンボルの先頭のタイミングで同期をとることである。【０１９３】
セルＩＤ抽出部３０８は、同期信号の入力を同期信号抽出部３０７から受ける。次に、セルＩＤ抽出部３０８は、基地局１が使用したＰＳＳ及びＳＳＳからセルＩＤを特定する。具体的には、セルＩＤ抽出部３０８は、基地局１から送信されるＰＳＳ及びＳＳＳという２つの同期信号を基に、セルＩＤを導き出すことが可能である。そして、セルＩＤ抽出部３０８は、特定したセルＩＤを同期信号作成部３１１、パイロット算出部３１２及びセル選択制御部３２２へ出力する。【０１９４】
同期信号作成部３１１は、セルＩＤの入力をセルＩＤ抽出部３０８から受ける。そして、同期信号作成部３１１は、取得したセルＩＤを基に同期信号を作成する。その後、同期信号作成部３１１は、作成した同期信号を同期制御部３０６へ出力する。【０１９５】
パイロット算出部３１２は、セルＩＤの入力をセルＩＤ抽出部３０８から受ける。そして、パイロット算出部３１２は、取得したセルＩＤを基にパイロットを算出する。そして、パイロット算出部３１２は、算出したパイロットを同期制御部３０６及び無線回線品質測定算出部３１０へ出力する。【０１９６】
ここで、同期について詳細に説明する。以下では、通信端末３が基地局１と同期をとる場合を例に説明する。無線回線品質測定算定部３１０による無線回線品質の測定のために、同期制御部３０６は、事前に測定する基地局１に対して同期を実施する。これは、パイロット信号の他の信号との識別や、パイロット信号そのものの識別のためである。【０１９７】
同期の方法としては、同期制御部３０６は、基地局１から送信された同期信号を基に、無線フレームの先頭を識別する。これをフレーム同期とよぶ場合もある。更に、同期制御部３０６は、同期信号を用いて、無線フレームの先頭又は無線フレームを構成するサブフレームの先頭やスロットの先頭を識別する。無線フレームを構成するサブフレームの先頭やスロットの先頭の識別は、フレーム同期又はスロット同期と呼ばれることもある。【０１９８】
同期制御部３０６は、基地局１と通信端末３で予め共有されている同期信号の作成方法に従い、同期信号作成部３１１が作成した同期信号と、基地局１から受信した同期信号の相関を算出することで、同期信号系列を識別し、その系列の先頭を見つける。これにより、同期制御部３０６は、フレームやスロットの先頭を算出する。なお、同期信号は、通常複数の信号から構成されており、１つの信号(シンボル)ではなく、複数のシンボルで構成された信号列である。例えば、ＬＴＥシステムでは、通信端末３は、同期信号系列を識別することで、セル情報を算出又は識別できる。ここで、同期信号系列とは、ＣＣｅｌｌ  ＩＤ及びＰＣｅｌｌ−ＩＤ（Physical  Cell  Identification）を含む。【０１９９】
さらに、同期制御部３０６は、パイロット信号を用いてシンボル同期を行う。ここで、パイロット信号系列の算出方法は、同期信号の識別と同様に基地局１と通信端末３との間で予め共有されている。そして、同期制御部３０６は、基地局１から受信したパイロット信号とパイロット算出部３１２により算出されたパイロットとを比較し相関を算出することで、シンボル同期を行う。【０２００】
ＬＴＥシステムでは、パイロット算出部３１２は、セルＩＤ抽出部３０８により同期信号から導き出されたセルＩＤを基にパイロット信号が算出可能であり、これにより、シンボル同期に費やす時間を短縮できる。言い換えれば同期信号を受信しセルＩＤを導き出さないとシンボル同期に費やす時間が長くなってしまう。【０２０１】
また、パイロット抽出部３０５、同期制御部３０６及び同期信号抽出部３０７は、同期の実行の指示を無線回線品質測定算出部３１０から受けると、周辺セルからの同期信号及びパイロット信号を受信して同期を行う。【０２０２】
端末性能情報要求抽出部３０９は、基地局１から送信された端末性能情報要求を復調復号部３０２から送出された信号から抽出する。そして、端末性能情報要求抽出部３０９は、抽出した端末性能情報要求を端末性能情報制御部３２６へ出力する。【０２０３】
無線回線品質測定算出部３１０は、パイロット算出部３１２が算出したパイロットの入力を受ける。また、無線回線品質測定算出部３１０は、パイロット信号の入力をパイロット抽出部３０５から受ける。そして、無線回線品質測定算出部３１０は、取得したパイロット信号及びパイロット算出部３１２が算出したパイロットを用いて無線回線品質を測定する。ここで、無線回線品質測定算出部３１０は、無線回線品質として、例えば、パイロット受信電力（ＲＳＲＰ）、パイロット受信品質（ＲＳＲＱ）、無線回線品質（Channel  Quality）及びＳＩＲ（Signal  to  Interference  and  Ratio）などを測定し、測定結果から無線回線品質を算出する。受信品質を示す指標としては、例えば、無線回線品質指標（ＣＱＩ：Channel  Quality  Indicator）やＳＩＮＲ（Signal  to  Interference  and  Noise  Ratio）を用いることができる。その後、無線回線品質測定算出部３１０は、無線回線品質の測定算出結果を無線回線品質情報作成部３３４に通知する。また、無線回線品質測定算出部３１０は、無線回線品質の測定算出結果をパイロット抽出部３０５にフィードバックする。【０２０４】
また、無線回線品質測定算出部３１０は、パイロット信号を用いて受信電力（受信電界強度）を測定する。そして、無線回線品質測定算出部３１０は、測定結果をセル選択制御部３２２に通知する。この無線回線品質測定算出部３１０が、「無線回線品質測定部」の一例にあたる。【０２０５】
なお、ＬＴＥでは、パイロット信号はセル内で複数の端末に共通のセル共通パイロット信号（ＣＲＳ：Cell  specific  Reference  Signal）、端末個別に割り当てられた個別パイロット信号（ＤＲＳ：Dedicated  Reference  Signal)が規定されている。さらに、ＬＴＥシステムでは、位置測定用のパイロット信号（ＰＲＳ：Positioning  Reference  Signal）及び無線回線品質（無線回線状態情報）を測定するためのパイロット（ＣＳＩ  ＲＳ：Channel  State  Information  Reference  Signal)が規定されている。ここで、共通パイロットは、Common  Reference  Signal，Cell  specific  pilot又はCommon  Pilotとも呼ばれる場合がある。また、個別パイロットは、Dedicated  pilot又はUE  specific  RSと呼ばれる場合がある。また、位置測定用のパイロットは、positioning  pilot又はPositioning  RSと呼ばれる場合がある。また、無線回線品質を測定するためのパイロット信号は、Channel  state  information  pilotと呼ばれる場合がある。【０２０６】
無線回線品質測定算出部３１０は、これらのどのパイロット信号を用いて測定算出を実施してもよい。言い換えれば、無線回線品質測定算出部３１０は、既知信号、すなわち基地局１もしくは２と通信端末３との間、又は、無線通信システムにおいて予め決められた信号を用いて無線回線品質を測定算出してもよい。【０２０７】
なお、通常のパイロット信号は、復調を目的とした信号であったり、無線回線品質測定を目的とした信号であったりする。復調を目的とした信号は、個別パイロット信号とも呼ばれる。また、無線回線品質測定を目的とした信号は、共通パイロット信号とも呼ばれる。【０２０８】
無線回線品質測定算出部３１０は、無線回線制御要求を無線回線制御情報抽出部３０４から取得した場合又は無線回線品質を測定する周期になった場合、パイロット抽出部３０５を介して同期制御部３０６及び同期信号抽出部３０７に同期の実行を指示する。【０２０９】
制御部３２は、端末設定制御部３２１、セル選択制御部３２２、システム情報記憶部３２３、無線回線制御部３２４、端末性能情報記憶部３２５及び端末性能情報制御部３２６を有する。【０２１０】
端末設定制御部３２１は、システム情報の入力をシステム情報抽出部３０３から受ける。そして、端末設定制御部３２１は、システム情報を基に以下の制御を行う。【０２１１】
端末設定制御部３２１は、無線回線制御部３２４により指定された制御情報を基に通信端末３に割り当てられた無線リソースを判定すると共に、適用されている変調符号化方式を判定する。そして、端末設定制御部３２１は、受信無線部３０１、復調復号部３０２、送信無線部３３１及び符号化変調部３３２の動作を制御する。【０２１２】
また、端末設定制御部３２１は、アンライセンスドバンド使用の通知を無線回線制御部３２４から受ける。そして、端末設定制御部３２１は、通信端末３でアンライセンスドバンドの無線リソースを使用すると判定する。そして、端末設定制御部３２１は、アンライセンスドバンドに対応する周波数の設定を、受信無線部３０１、復調復号部３０２、送信無線部３３１及び符号化変調部３３２に行う。【０２１３】
セル選択制御部３２２は、システム情報の入力をシステム情報抽出部３０３から受ける。そして、セル選択制御部３２２は、システム情報を基に以下の制御を行う。なお、セル選択制御部３２２は、受信したシステム情報から測定帯域幅やセル選択の優先度などの制御情報をセル選択前に取得し、それらの取得した情報をセル選択に用いてもよい。【０２１４】
セル選択制御部３２２は、無線回線品質の測定算出結果の入力を無線回線品質測定算出部３１０から受ける。また、セル選択制御部３２２は、セルＩＤの入力をセルＩＤ抽出部３０８から受ける。さらに、セル選択制御部３２２は、無線回線制御情報抽出部３０４により抽出された通信端末３の制御情報を取得する。【０２１５】
セル選択制御部３２２は、入力された無線回線品質の測定算出結果、セルＩＤ及び通信端末３の制御情報を用いて、最も無線回線品質の良いセルのセルＩＤを特定する。具体的には、セル選択制御部３２２は、無線回線品質測定算出部３１０により測定された上述のＲＳＲＰとＲＳＲＱとの少なくとも一方を用いてセル選択を実施する。そして、セル選択制御部３２２は、選択したセルのセルＩＤを無線回線制御部３２４へ出力する。なお、セル選択制御部３２２は、セル選択の条件を満たすセルが見つかるまでセルの選択を繰り返す。本実施例では、セル選択制御部３２２が基地局１のセル１０を選択した場合で説明する。【０２１６】
例えば、ＬＴＥシステムであれば、セル選択制御部３２２は、ＲＳＲＰ及びＲＳＲＱを用いて、最も無線回線品質の良い基地局を選択する。セル選択制御部３２２が１つ目の回線として回線接続したセル１０が、ＰＣｅｌｌとなる。その後、通信端末３は、セル１０で待ち受け及び回線接続を実施する。待ち受けは、Ｗ−ＣＤＭＡシステムやＬＴＥシステムでは、「ｃａｍｐ  ｏｎ」と呼ばれる。さらに、本実施例に係る無線通信システムはＣＡを行っており、セル選択制御部３２２は、２つ目の回線としてＳＣｅｌｌとなるセル２０を選択し接続する。【０２１７】
無線回線制御部３２４は、セルＩＤ抽出部３０８が抽出したセルＩＤを取得する。また、無線回線制御部３２４は、無線回線制御情報抽出部３０４が抽出した制御情報を取得する。また、無線回線制御部３２４は、接続先として選択されたセルのセルＩＤの入力をセル選択制御部３２２から受ける。また、無線回線制御部３２４は、システム情報の入力をシステム情報抽出部３０３から受ける。そして、無線回線制御部３２４は、システム情報を基に以下の制御を行う。【０２１８】
例えば、無線回線制御部３２４は、無線回線制御情報抽出部３０４からセルＩＤの入力を受ける。そして、無線回線制御部３２４は、基地局１又は２から通知されたセルＩＤと算出したセルＩＤとが一致するか否かを判定する。セルＩＤが一致する場合、無線回線制御部３２４は、そのセルの情報をシステム情報記憶部３２３に記憶させる。【０２１９】
そして、ライセンスドバンドへの接続の場合、無線回線制御部３２４は、無線回線品質情報作成部３３４に無線回線品質情報の作成を指示する。【０２２０】
これに対して、アンライセンスドバンドへの接続の場合、無線回線制御部３２４は、無線回線制御情報抽出部３０４から取得したセルＩＤを有するセル２０から報知されたシステム情報をシステム情報抽出部３０３から取得する。そして、無線回線制御部３２４は、セル１０から受信したネットワーク識別情報とセル２０から受信したネットワーク識別情報とを比較する。セル１０のネットワーク識別情報とセル２０のネットワーク識別情報とが一致しない場合、無線回線制御部３２４は、他のアンライセンスドバンドのセルの無線回線品質測定を無線回線品質測定算出部３１０へ通知する。【０２２１】
これに対して、セル１０のネットワーク識別情報とセル２０のネットワーク識別情報とが一致する場合、無線回線制御部３２４は、無線回線品質情報作成部３３４に無線回線品質情報の作成を指示する。【０２２２】
また、無線回線制御部３２４は、無線回線制御情報抽出部３０４が抽出した制御情報として、ランダムアクセスに関する制御情報を取得する。そして、無線回線制御部３２４は、セル１０で待ち受け中に送信するデータが生じた場合、すなわち発呼する場合、ランダムアクセスに関する制御情報を基に、ランダムアクセスの実施を制御する。具体的には、無線回線制御部３２４は、予め決められた複数のプリアンブルの中からランダムアクセスプリアンブルを選択する。そして、無線回線制御部３２４は、選択したランダムアクセスプリアンブルを基地局１に送信する。【０２２３】
その後、無線回線制御部３２４は、無線回線制御情報抽出部３０４が抽出した制御情報として、ランダムアクセスレスポンスを取得する。そして、無線回線制御部３２４は、ランダムアクセスレスポンスにしたがいスケジュールドトランスミッションを送信するための制御を実施する。その後、無線回線制御部３２４は、スケジュールドトランスミッションの作成を無線回線制御情報作成部３３３に指示する。【０２２４】
また、無線回線制御部３２４は、セル１０から送信されたｄｅｄｉｃａｔｅｄ  ｐｒｅａｍｂｌｅやランダムアクセスに用いる制御情報などの無線回線設定に用いる制御情報を無線回線制御情報抽出部３０４から受信した場合、以下の制御を行う。無線回線制御部３２４は、ｄｅｄｉｃａｔｅｄ  ｐｒｅａｍｂｌｅを用いて、制御信号が送信元であるセル１０又は２０とランダムアクセスを実施する。なお、ｄｅｄｉｃａｔｅｄ  ｐｒｅａｍｂｌｅを用いることで、他の通信端末がそのプリアンブルを同時に使用することがなく、プリアンブルの衝突が生じない。そのため、無線回線制御部３２４は、上述した通信端末３がプリアンブルを選択する場合（contention  based  random  access  procedure）と異なるランダムアクセス（non-contention  based  random  access  procedure）を行う。ここで、セル１０から送信されたｄｅｄｉｃａｔｅｄ  ｐｒｅａｍｂｌｅを端末に通知するメッセージは、メッセージ０として、ｒａｎｄｏｍ  ａｃｃｅｓｓ  ｐｒｅａｍｂｌｅ  ａｓｓｉｇｎｍｅｎｔと呼ばれる。【０２２５】
無線回線制御部３２４は、セル２０に対するｄｅｄｉｃａｔｅｄ  ｐｒｅａｍｂｌｅを用いたランダムアクセスプリアンブルの送信を無線回線制御情報作成部３３３に指示する。【０２２６】
端末性能情報記憶部３２５は、通信端末３がアンライセンスドバンドの使用が可能か否かの情報を記憶する。【０２２７】
システム情報記憶部３２３は、基地局１から送信されたシステム情報の入力をシステム情報抽出部３０３から受ける。そして、システム情報記憶部３２３は、取得したシステム情報を記憶する。【０２２８】
端末性能情報制御部３２６は、端末性能情報要求抽出部３０９により抽出された端末性能情報要求を取得する。そして、端末性能情報制御部３２６は、端末性能情報記憶部３２５から通信端末３のアンライセンスドバンドの使用の可否の情報を取得する。その後、端末性能情報制御部３２６は、通信端末３のアンライセンスドバンドの使用の可否の情報とともに基地局１への端末性能情報の送信を端末性能情報作成部３３５に指示する。この端末性能情報制御部３２６が、「通知部」の一例にあたる。【０２２９】
送信部３３は、送信無線部３３１、符号化変調部３３２、無線回線制御情報作成部３３３、無線回線品質情報作成部３３４及び端末性能情報作成部３３５を有する。【０２３０】
無線回線制御情報作成部３３３は、スケジュールドトランスミッションの作成を無線回線制御部３２４から受ける。そして、無線回線制御情報作成部３３３は、無線回線制御部３２４の制御にしたがいスケジュールドトランスミッションを作成する。その後、無線回線制御情報作成部３３３は、スケジュールドトランスミッションを符号化変調部３３２へ出力し、基地局１へ送信する。【０２３１】
また、無線回線制御情報作成部３３３は、セル２０の接続の場合、ｄｅｄｉｃａｔｅｄ  ｐｒｅａｍｂｌｅを用いたランダムアクセスプリアンブルの送信の指示を無線回線制御部３２４から受ける。そして、無線回線制御情報作成部３３３は、ｄｅｄｉｃａｔｅｄ  ｐｒｅａｍｂｌｅを用いてランダムアクセスプリアンブルをセル２０へ送信する。ここで、ランダムアクセスプリアンブルの中身は、ｄｅｄｉｃａｔｅｄ  ｐｒｅａｍｂｌｅのみであってもよい。【０２３２】
無線回線品質情報作成部３３４は、無線回線品質の測定結果の入力を無線回線品質測定算出部３１０から受ける。次に、無線回線品質情報作成部３３４は、無線回線品質の測定結果から受信品質を示す制御情報（測定報告）を生成する。測定報告としては、例えば、受信品質を離散値で表したＣＱＩ（Channel  Quality  Indication）を用いることができる。【０２３３】
端末性能情報作成部３３５は、アンライセンスドバンドの使用の可否の情報とともに基地局１への端末性能情報の送信指示を端末性能情報制御部３２６から受ける。そして、端末性能情報作成部３３５は、指示にしたがいアンライセンスドバンドの使用の可否を含む端末性能情報を作成する。そして、端末性能情報作成部３３５は、作成した端末性能情報を符号化変調部３３２へ出力し、基地局１へ送信する。【０２３４】
符号化変調部３３２は、ベースバンド処理部３４、無線回線制御情報作成部３３３、無線回線品質情報作成部３３４及び端末性能情報作成部３３５から信号の入力を受ける。そして、符号化変調部３３２は、受信した信号を符号化する。さらに、符号化変調部３３２は、符号化を施した信号に対して変調処理を施す。符号化変調部３３２は、所定の変調符号化方式又は端末設定制御部３２１から指示された変調符号化方式に対応する方法で、符号化及び変調を行う。そして、符号化変調部３３２は、各処理を施した信号を送信無線部３３１へ出力する。【０２３５】
送信無線部３３１は、符号化変調部３３２により処理が施された信号の入力を受ける。また、送信無線部３３１は、送信対象の周波数帯域の指示を端末設定制御部３２１から受ける。そして、送信無線部３３１は、信号を増幅し、さらに、ベースバンド信号から無線周波数へと変換する。そして、送信無線部３３１は、無線周波数へ変換した信号をアンテナを介して基地局１及び２へ送信する。この送信無線部３１１及び受信無線部３０１が、「第１通信部」の一例にあたる。【０２３６】
ベースバンド処理部３４は、ベースバンド信号の入力を復調復号部３０２から受ける。そして、受信した信号で指定されている処理などに応じて、その信号を処理する。例えば、ベースバンド処理部３４は、受信した信号で指定されている格納場所にデータを格納する。また、ベースバンド処理部３４は、信号を音声に変えて、スピーカを用いて出力する。【０２３７】
信号の送信の場合、ベースバンド処理部３４は、操作者から入力された指示に従い、データを取得する。例えば、ベースバンド処理部３４は、メモリからデータを読み出す。そして、ベースバンド処理部３４は、取得したデータを含む信号を符号化変調部３３２へ出力する。また、ベースバンド処理部３４は、マイクからの音声入力を受けて、音声を信号に変えて符号化変調部３３２へ出力する。【０２３８】
ここで、図１０を参照して同期及び無線回線品質測定の流れについて説明する。図１０は、同期及び無線回線品質測定のシーケンス図である。ここでは、通信端末３が基地局１のセル１０に接続する場合で説明する。【０２３９】
基地局１の同期信号作成部１６２は、同期信号であるＰＳＳ及びＳＳＳを通信端末３へ送信する（ステップＳ１）。【０２４０】
通信端末３の同期制御部３０６は、同期信号抽出部３０７により抽出されたＰＳＳ及びＳＳＳを用いてフレーム同期を行う（ステップＳ２）。【０２４１】
次に、通信端末３のセルＩＤ抽出部３０８は、ＰＳＳ及びＳＳＳを用いてセルＩＤを抽出する（ステップＳ３）。【０２４２】
次に、通信端末３のパイロット算出部３１２は、セルＩＤを基にパイロット信号を算出する（ステップＳ４）。【０２４３】
基地局１のパイロット作成部１６１は、パイロット信号を作成し、通信端末３へ作成したパイロット信号を送信する（ステップＳ５）。【０２４４】
通信端末３の同期制御部３０６は、パイロット抽出部３０５により抽出されたパイロット信号を用いてシンボル同期を行う（ステップＳ６）。【０２４５】
次に、通信端末３の無線回線品質測定算出部３１０は、無線回線制御情報抽出部３０４により抽出された無線回線制御情報を用いて無線回線品質の測定及び算出を行う（ステップＳ７）。【０２４６】
その後、通信端末３のセル選択制御部３２２は、無線回線品質測定算出部３１０により測定及び算出された無線回線品質を用いて接続するセルを選択する（ステップＳ８）。【０２４７】
次に、図１１Ａ及び１１Ｂを参照してランダムアクセスの流れについて説明する。図１１Ａは、Ｃｏｎｔｅｎｔｉｏｎ  ｂａｓｅｄ  ｒａｎｄｏｍ  ａｃｃｅｓｓ  ｐｒｏｃｅｄｕｒｅのシーケンス図である。図１１Ｂは、ｎｏｎ−Ｃｏｎｔｅｎｔｉｏｎ  ｂａｓｅｄ  ｒａｎｄｏｍ  ａｃｃｅｓｓ  ｐｒｏｃｅｄｕｒｅのシーケンス図である。ここでは、通信端末３、並びに、基地局１及び２を動作主体として説明する。ただし、実際には、上述した各機能部が動作する。【０２４８】
Ｃｏｎｔｅｎｔｉｏｎ  ｂａｓｅｄ  ｒａｎｄｏｍ  ａｃｃｅｓｓ  ｐｒｏｃｅｄｕｒｅの場合、通信端末３は、ランダムアクセスプリアンブル（Random  Access  Preamble）を基地局１へ送信する（ステップＳ１１）。【０２４９】
基地局１は、ランダムアクセスプリアンブルを受信した場合、ランダムアクセスレスポンス（Random  Access  Response）を通信端末３へ送信する（ステップＳ１２）。【０２５０】
通信端末３は、ランダムアクセスレスポンスを受信すると、スケジュールドトランスミッション（Scheduled  Transmission）を基地局１へ送信する（ステップＳ１３）。【０２５１】
基地局１は、スケジュールドトランスミッションを受信すると、コンテンションレゾリューション（Contention  Resolution）を通信端末３へ返信する（ステップＳ１４）。これにより、通信端末３と基地局１との間で接続が確立する。【０２５２】
一方、ｎｏｎ−Ｃｏｎｔｅｎｔｉｏｎ  ｂａｓｅｄ  ｒａｎｄｏｍ  ａｃｃｅｓｓ  ｐｒｏｃｅｄｕｒｅの場合、基地局２が、ランダムアクセスアサインメント（Random  Access  assignment）を通信端末３へ送信する（ステップＳ２１）。【０２５３】
通信端末３は、ランダムアクセスアサインメントを受信すると、ランダムアクセスプリアンブル（Random  Access  Preamble）を基地局２へ送信する（ステップＳ２２）。【０２５４】
基地局２は、ランダムアクセスプリアンブルを受信した場合、ランダムアクセスレスポンス（Random  Access  Response）を通信端末３へ送信する（ステップＳ２３）。これにより、通信端末３と基地局２との間で接続が確立する。【０２５５】
次に、図１２を参照して、本実施例に係る無線通信システムにおけるＳＣｅｌｌ接続の流れについて説明する。図１２は、実施例１に係る無線通信システムにおけるＳＣｅｌｌ接続のシーケンス図である。【０２５６】
基地局１の端末性能情報要求作成部１６４は、端末性能情報要求を通信端末３へ送信する（ステップＳ１０１）。【０２５７】
通信端末３の端末性能情報制御部３２６は、端末性能情報要求抽出部３０９が抽出した端末性能情報要求を受信して、通信端末３のアンライセンスドバンドの使用の可否を端末性能情報記憶部３２５から取得する。そして、端末性能情報作成部３３５は、端末性能情報制御部３２６から通知されたアンライセンスドバンドの使用の可否を含む端末性能情報を作成する。その後、端末性能情報作成部３３５は、作成した端末性能情報を基地局１に送信することで、アンライセンスドバンドの使用可否を基地局１に通知する（ステップＳ１０２）。ここでは、通信端末３がアンライセンスドバンドの使用が可能な場合で説明する。【０２５８】
基地局１の無線回線制御部１５７は、アンライセンスドバンドの使用可否の情報を端末性能情報制御部１５６から受信する。そして、無線回線制御部１５７は、アンライセンスドバンドの使用可否の情報から通信端末３の端末カテゴリを特定する（ステップＳ１０３）。【０２５９】
基地局１の無線回線制御情報作成部１６０は、無線回線制御部１５７からの指示を受けて、通信端末３の端末カテゴリを通信端末３へ通知する（ステップＳ１０４）。【０２６０】
さらに、基地局１の無線回線制御部１５７は、アンライセンスドバンドを使用するか否かの判定及びアンライセンスドバンドの無線回線品質測定要求の作成を含むアンライセンスドバンド使用制御を行う（ステップＳ１０５）。そして、無線回線制御部１５７は、通信端末３へのアンライセンスドバンド使用の通知を無線回線制御情報作成部１６０に指示する。【０２６１】
基地局１の無線回線制御情報作成部１６０は、無線回線制御部１５７からの指示を受けて、アンライセンスドバンドの使用を通知するための制御情報を作成する。そして、無線回線制御情報作成部１６０は、作成した制御情報を通信端末３へ送信することで、アンライセンスドバンドの使用を通信端末３に通知する（ステップＳ１０６）。【０２６２】
基地局２のパイロット作成部２６１は、パイロット信号を算出して生成する。そして、パイロット作成部２６１は、パイロット信号を通信端末３へ送信する（ステップＳ１０７）。【０２６３】
通信端末３の無線回線品質測定算出部３１０は、基地局２から送信されたパイロット信号を用いて基地局２との間の無線回線品質の測定及び算出を行う（ステップＳ１０８）。そして、無線回線品質測定算出部３１０は、無線回線品質の測定算出結果を無線回線品質情報作成部３３４へ出力する。【０２６４】
無線回線品質情報作成部３３４は、受信した無線回線品質の測定算出結果を用いて無線回線品質情報を作成する。そして、無線回線品質情報作成部３３４は、作成した無線回線品質情報を基地局１へ送信する（ステップＳ１０９）。【０２６５】
基地局１の無線回線制御部１５７は、通信端末３と基地局２との間の無線回線品質情報を無線回線品質情報抽出部１５４から取得する。無線回線制御部１５７は、アンライセンスドバンドを用いる他の通信端末３の周辺基地局からも同様に無線回線品質情報を取得する。そして、無線回線制御部１５７は、取得した無線回線品質情報を基にセルを選択する（ステップＳ１１０）。ここでは、無線回線制御部１５７が基地局２を選択した場合で説明する。【０２６６】
無線回線制御部１５７が基地局２を選択した場合、基地局１及び２、並びに、通信端末３の間で、すなわちランダムアクセスプロシジャが行われ、通信端末３と基地局２とを接続する無線回線設定がなされる（ステップＳ１１１）。【０２６７】
その後、基地局２と通信端末３とは、設定された無線回線を用いてユーザデータ及び制御情報の送受信を行う（ステップＳ１１２）。【０２６８】
次に、図１３を参照して、本実施例に係る無線通信システムにおけるＣＡの処理の流れについて説明する。図１３は、実施例１に係る無線通信システムにおけるＣＡの処理の概略を表すシーケンス図である。図１３では、ＣＡの処理全体の流れの概略を示すため、例えば、同期処理やカテゴリ通知処理などの細かい処理を省いている。【０２６９】
基地局１のパイロット作成部１６１は、パイロット信号を作成し通信端末３へ送信する（ステップＳ２０１）。また、基地局２のパイロット作成部２６１は、パイロット信号を作成し通信端末３へ送信する（ステップＳ２０２）。【０２７０】
通信端末３の無線回線品質測定算出部３１０は、基地局１及び２から送信されたパイロット信号を用いて基地局１及び２との間の無線回線品質の測定及び算出を行う（ステップＳ２０３）。セル選択制御部３２２は、無線回線品質測定算出部３１０による無線回線品質の測定算出結果を用いてセル選択を行う（ステップＳ２０４）。ここでは、セル選択制御部３２２は、セル１０をＰＣｅｌｌとして選択する。【０２７１】
そして、基地局１のシステム情報作成部１６３は、システム情報を通信端末３へ送信する（ステップＳ２０５）。【０２７２】
基地局１及び通信端末３は、ランダムアクセスプロシジャを実行し無線回線設定を行う（ステップＳ２０６）。【０２７３】
次に、通信端末３の端末性能情報制御部３２６は、通信端末３のアンライセンスドバンドの使用の可否を端末性能情報記憶部３２５から取得する。そして、端末性能情報作成部３３５は、端末性能情報制御部３２６から通知されたアンライセンスドバンドの使用の可否を含む端末性能情報を作成する。その後、端末性能情報作成部３３５は、作成した端末性能情報を基地局１に送信することで、アンライセンスドバンドの使用可否を基地局１に通知する（ステップＳ２０７）。ここでは、通信端末３は、アンライセンスドバンドの使用が可能な場合で説明する。【０２７４】
基地局１の無線回線制御部１５７は、アンライセンスドバンドの使用可否の通知を受ける。そして、無線回線制御部１５７は、アンライセンスドバンドを使用するか否かの判定及びアンライセンスドバンドの無線回線品質測定要求の作成を含むアンライセンスドバンド使用制御を行う（ステップＳ２０８）。そして、無線回線制御部１５７は、通信端末３へのアンライセンスドバンド使用の通知を無線回線制御情報作成部１６０に指示する。【０２７５】
基地局１の無線回線制御情報作成部１６０は、無線回線制御部１５７からの指示を受けて、アンライセンスドバンドの使用を通知するための制御情報を作成する。そして、無線回線制御情報作成部１６０は、作成した制御情報を通信端末３へ送信することで、アンライセンスドバンドの使用を通信端末３に通知する（ステップＳ２０９）。【０２７６】
その後、基地局１及び通信端末３は、設定された無線回線を用いてユーザデータ及び制御情報の送受信を行う（ステップＳ２１０）。【０２７７】
その後、基地局２のパイロット作成部２６１は、パイロット信号を作成し通信端末３へ送信する（ステップＳ２１１）。【０２７８】
基地局１は、通信端末３との間のデータ量や回線品質などを基にセル追加を決定する（ステップＳ２１２）。【０２７９】
通信端末３の無線回線品質測定算出部３１０は、基地局２から送信されたパイロット信号を用いて基地局２との間の無線回線品質の測定及び算出を行う（ステップＳ２１３）。そして、無線回線品質測定算出部３１０は、無線回線品質の測定算出結果を無線回線品質情報作成部３３４へ出力する。【０２８０】
無線回線品質情報作成部３３４は、受信した無線回線品質の測定算出結果を用いて無線回線品質情報を作成する。そして、無線回線品質情報作成部３３４は、作成した無線回線品質情報を基地局１へ送信する（ステップＳ２１４）。【０２８１】
無線回線制御部１５７は、無線回線品質情報抽出部１５４により抽出された通信端末３と基地局２との間の無線回線品質情報及び通信端末３と他の基地局との間の無線回線品質情報を取得する。そして、無線回線制御部１５７は、アンライセンスドバンドを使用した通信を行うセルとして基地局２のセル２０を選択する（ステップＳ２１５）。ここでは、無線回線制御部１５７は、セル２０をＳＣｅｌｌとして選択する。【０２８２】
そして、無線回線制御部１５７は、基地局２へのシステム情報要求の送信を無線回線制御情報作成部１６０に指示する。無線回線制御情報作成部１６０は、無線回線制御部１５７からの指示を受けて、システム情報要求を行う制御情報を作成する。そして、無線回線制御情報作成部１６０は、作成した制御情報を基地局２へ送信することでシステム情報要求を基地局２へ送信する（ステップＳ２１６）。【０２８３】
基地局２のシステム情報作成部２６３は、システム情報管理記憶部２５８が記憶する情報を用いてシステム情報を作成する。そして、システム情報作成部２６３は、作成したシステム情報を基地局１へ送信する（ステップＳ２１７）。基地局１の無線回線制御部１５７は、受信した基地局２のシステム情報を無線回線制御情報作成部１６０を介して通信端末３へ送信する（ステップＳ２１８）。【０２８４】
基地局２と通信端末３とは、ランダムアクセスプロシジャを実行し無線回線設定を行う（ステップＳ２１９）。【０２８５】
その後、基地局１と通信端末３とは、基地局１と通信端末３との間に設定された無線回線を用いてユーザデータ及び制御情報の送受信を行う（ステップＳ２２０）。また、基地局２と通信端末３とは、基地局２と通信端末３との間に設定された無線回線を用いてユーザデータ及び制御情報の送受信を行う（ステップＳ２２１）。【０２８６】
次に、図１４を参照して、本実施例に係る基地局１によるＣＡの処理の流れについて説明する。図１４は、実施例１に係る基地局によるＣＡの処理のフローチャートである。【０２８７】
無線回線制御部１５７、パイロット作成部１６１、同期信号作成部１６２及び無線回線制御情報作成部１６０は、ランダムアクセスを通信端末３との間で実行する（ステップＳ３０１）。これにより、基地局１と通信端末３との間に無線回線が設定される。【０２８８】
次に、システム情報作成部１６３は、システム情報管理記憶部１５８が記憶する情報を用いてシステム情報を作成する。そして、システム情報作成部１６３は、作成したシステム情報を基地局１へ送信する（ステップＳ３０２）。【０２８９】
次に、端末性能情報要求作成部１６４は、端末性能情報要求を作成する。そして、端末性能情報要求作成部１６４は、作成した端末性能情報要求を通信端末３へ送信する（ステップＳ３０３）。【０２９０】
次に、無線回線制御部１５７は、通信端末３から受信した端末性能情報に含まれるアンライセンスドバンドの使用の可否の情報を端末性能情報制御部１５６から受信する（ステップＳ３０４）。そして、無線回線制御部１５７は、アンライセンスドバンドの使用の可否を判定する（ステップＳ３０５）。次に、無線回線制御部１５７は、アンライセンスドバンドの使用の通信端末３への通知を無線回線制御情報作成部１６０に指示する。無線回線制御情報作成部１６０は、アンライセンスドバンドの使用を通信端末３へ通知する（ステップＳ３０６）。【０２９１】
無線回線制御情報作成部１６０は、無線回線制御部１５７からの指示を受けて、通信端末３に対する基地局２を含むアンライセンスドバンドを用いた通信を行う通信端末３の周辺基地局との間の無線回線品質測定要求を作成する。そして、無線回線制御情報作成部１６０は、作成した無線回線品質測定要求を通信端末３へ送信する（ステップＳ３０７）。【０２９２】
その後、無線回線制御部１５７は、基地局２を含む通信端末３の周辺基地局からの無線回線品質測定結果を受信する（ステップＳ３０８）。【０２９３】
そして、無線回線制御部１５７は、受信した無線回線品質測定結果から追加セルを選択する（ステップＳ３０９）。ここでは、無線回線制御部１５７は、基地局２のセル２０を選択した場合で説明する。【０２９４】
無線回線制御情報作成部１６０は、無線回線制御部１５７からの指示を受けて、基地局２へのシステム情報要求を行うための制御情報を作成する。そして、無線回線制御情報作成部１６０は、作成した制御情報を基地局２へ送信することで、基地局２に対してシステム情報要求を行う（ステップＳ３１０）。【０２９５】
無線回線制御部１５７は、基地局２から送信されたシステム情報を無線回線制御情報抽出部１５５から取得する。そして、無線回線制御部１５７は、取得した基地局２のシステム情報を無線回線制御情報作成部１６０を介して通信端末３へ送信する（ステップＳ３１１）。【０２９６】
その後、無線回線制御部１５７は、通信端末３に対するセル追加要求の送信を無線回線制御情報作成部１６０に指示する。無線回線制御情報作成部１６０は、セル追加要求を行うための制御情報を作成する。そして、無線回線制御情報作成部１６０は、作成した制御情報を通信端末３へ送信することで、通信端末３にセル追加要求を送信する（ステップＳ３１２）。【０２９７】
次に、図１５を参照して、本実施例に係る通信端末３によるＣＡの処理の流れについて説明する。図１５は、実施例１に係る通信端末によるＣＡの処理のフローチャートである。【０２９８】
セル選択制御部３２２は、基地局１を含む周辺基地局から受信したパイロット信号を用いてＰＣｅｌｌのセル選択を行う（ステップＳ３２１）。ここでは、セル選択制御部３２２は、基地局１のセル１０をＰＣｅｌｌとして選択する。【０２９９】
そして、パイロット抽出部３０５、同期制御部３０６、同期信号抽出部３０７、セルＩＤ抽出部３０８、端末設定制御部３２１及び無線回線制御部３２４は、基地局１との間でランダムアクセスを行う（ステップＳ３２２）。これにより、通信端末３と基地局１との間で無線回線が設定される。【０３００】
次に、無線回線制御部３２４は、システム情報抽出部３０３により抽出された基地局１のシステム情報を受信する（ステップＳ３２３）。【０３０１】
その後、端末性能情報制御部３２６は、端末性能情報要求を端末性能情報要求抽出部３０９から受信する（ステップＳ３２４）。端末性能情報制御部３２６は、通信端末３のアンライセンスドバンドの使用の可否の情報を端末性能情報記憶部３２５から取得する。そして、端末性能情報制御部３２６は、アンライセンスドバンドの使用の可否の情報を含む端末性能情報の基地局１への送信を端末性能情報作成部３３５に指示する。【０３０２】
端末性能情報作成部３３５は、端末性能情報制御部３２６からの指示を受けてアンライセンスドバンドの使用の可否の情報を含む端末性能情報を作成する。そして、端末性能情報作成部３３５は、作成した端末性能情報を基地局１へ送信することで、アンライセンスドバンドの使用の可否を基地局１に通知する（ステップＳ３２５）。【０３０３】
次に、無線回線制御部３２４は、基地局１から送信されたアンライセンスドバンド使用の通知を無線回線制御情報抽出部３０４から受信する（ステップＳ３２６）。【０３０４】
その後、無線回線制御部３２４は、基地局１から送信された無線回線品質測定要求を無線回線制御情報抽出部３０４から受信する（ステップＳ３２７）。【０３０５】
パイロット抽出部３０５、同期制御部３０６及び同期信号抽出部３０７は、基地局２への同期を実行する（ステップＳ３２８）。次に、セルＩＤ抽出部３０８は、基地局２のセルＩＤを抽出する（ステップＳ３２９）。そして、無線回線品質測定算出部３１０は、基地局２との間の無線回線品質の測定及び算出を行う（ステップＳ３３０）。【０３０６】
その後、無線回線品質測定算出部３１０は、無線回線品質の基地局１への通知を無線回線品質情報作成部３３４に指示する。無線回線品質情報作成部３３４は、無線回線品質測定算出部３１０からの指示にしたがい無線回線品質の測定算出結果を基地局１へ通知する（ステップＳ３３１）。【０３０７】
無線回線制御部３２４は、セル追加要求を基地局１から受けたか否かを判定する（ステップＳ３３２）。セル追加要求を受けていない場合（ステップＳ３３２：否定）、処理は、ステップＳ３２８へ戻る。【０３０８】
これに対して、セル追加要求を受けた場合（ステップＳ３３２：肯定）、端末設定制御部３２１は、基地局２のシステム情報をシステム情報抽出部３０３から受信する（ステップＳ３３３）。【０３０９】
そして、パイロット抽出部３０５、同期制御部３０６、同期信号抽出部３０７、セルＩＤ抽出部３０８、端末設定制御部３２１及び無線回線制御部３２４は、基地局２との間でランダムアクセスを行う（ステップＳ３３４）。これにより、通信端末３と基地局２との間で無線回線が設定される。【０３１０】
ここで、以上の説明では、基地局１からの端末性能情報要求を受けて、通信端末３は、アンライセンスドバンドの使用可否の情報を含む端末性能情報を基地局１に送出したが、送出タイミングはこれに限らない。例えば、通信端末３は、所定の周期で端末性能情報を基地局１に送出してもよい。その場合、基地局１は、端末性能情報要求を通信端末３に送らずに、通信端末３から端末性能情報が送られてくるのを待ってもよい。【０３１１】
さらに、以上の説明では、基地局１が通信端末３の性能情報を取得し、アンライセンスドバンドの使用の可否を判定して通信端末３にアンライセンスドバンドの使用の通知及び基地局２のシステム情報の送信を行ったが、これは他の構成をとることもできる。例えば、基地局２が通信端末３の性能情報を取得し、アンライセンスドバンドの使用の可否を判定して通信端末３にアンライセンスドバンドの使用の通知及び基地局２のシステム情報の送信を行ってもよい。この場合、基地局２は、実施例１の基地局１と同様の構成を有することが好ましい。また、この場合、基地局１は、後述の実施例２の基地局と同様の構成をとることもできる。【０３１２】
（ハードウェア構成）
次に、本実施例に係る基地局１及び２、並びに、通信端末３のハードウェア構成について説明する。図１６は、基地局のハードウェア構成図である。例えば、基地局１及び２はいずれも図１６に示すハードウェア構成を有する。【０３１３】
基地局１及び２は、図１６に示すように、ＤＳＰ（Digital  Signal  Processor）／ＣＰＵ（Central  Processing  Unit）９１、ＬＳＩ（Large  Scale  Integration）９２及びメモリ９３を有する。【０３１４】
ＤＳＰ／ＣＰＵ９１は、Ｉ／Ｆ（Interface）９１１及び制御部９１２を有する。Ｉ／Ｆ９１１は、制御部９１２と上位のネットワークとの通信インタフェースである。【０３１５】
メモリ９３は、基地局１であれば、図３に例示した端末性能情報制御部１５６、無線回線制御部１５７、システム情報管理記憶部１５８及び上位処理部１５９の機能を実現するプログラムを含む各種プログラムを格納する。また、メモリ９３は、システム情報管理記憶部１５８の機能を実現する。【０３１６】
そして、制御部９１２は、基地局１であれば、メモリ９３に格納された各種プログラムを読み出して実行することで、端末性能情報制御部１５６、無線回線制御部１５７、システム情報管理記憶部１５８及び上位処理部１５９の機能を実現する。【０３１７】
また、基地局２であれば、メモリ９３は、図８に例示した無線回線制御部２５７、システム情報管理記憶部２５８及び上位処理部２５９の機能を実現するプログラムを含む各種プログラムを格納する。また、メモリ９３は、システム情報管理記憶部２５８の機能を実現する。【０３１８】
そして、制御部９１２は、基地局２であれば、メモリ９３に格納された各種プログラムを読み出して実行することで、無線回線制御部２５７、システム情報管理記憶部２５８及び上位処理部２５９の機能を実現する。【０３１９】
ＬＳＩ９２は、受信無線回路９２１及び送信無線回路９２２を有する。基地局１であれば、受信無線回路９２１は、図３に例示した受信無線部１５１、復調復号部１５２、端末性能情報抽出部１５３、無線回線品質情報抽出部１５４及び無線回線制御情報抽出部１５５の機能を実現する。また、基地局１であれば、送信無線回路９２２は、端末性能情報要求作成部１６４、無線回線制御情報作成部１６０、パイロット作成部１６１、同期信号作成部１６２、システム情報作成部１６３、送信無線部１６５及び符号化変調部１６６の機能を実現する。【０３２０】
また、基地局２であれば、受信無線回路９２１は、図８に例示した受信無線部２５１、復調復号部２５２、無線回線品質情報抽出部２５４及び無線回線制御情報抽出部２５５の機能を実現する。また、基地局２であれば、送信無線回路９２２は、無線回線制御情報作成部２６０、パイロット作成部２６１、同期信号作成部２６２、システム情報作成部２６３、送信無線部２６５及び符号化変調部２６６の機能を実現する。【０３２１】
図１７は、通信端末のハードウェア構成図である。通信端末３は、ＬＳＩ９４、ＤＳＰ９５、メモリ９６、ディスプレイ９７、マイク９８及び拡声器９９を有する。ＬＳＩ９４は、受信無線回路９４１及び送信無線回路９４２を有する。【０３２２】
ディスプレイ９７は、液晶画面などの表示装置である。また、マイク９８は、音声通信などを行う際に、操作者が音声を入力する装置である。また、拡声器９９は、音声通信などを行う際に、操作者に音声を提供するスピーカなどの装置である。【０３２３】
受信無線回路９４１は、図９に例示した受信無線部３０１、復調復号部３０２、システム情報抽出部３０３、無線回線制御情報抽出部３０４、パイロット抽出部３０５、同期制御部３０６、同期信号抽出部３０７、セルＩＤ抽出部３０８の機能を実現する。また、受信無線回路９４１は、図９に例示した端末性能情報要求抽出部３０９、同期信号作成部３１１、パイロット算出部３１２及び無線回線品質測定算出部３１０の機能を実現する。【０３２４】
送信無線回路９４２は、図９に例示した送信無線部３３１、符号化変調部３３２、無線回線制御情報作成部３３３、無線回線品質情報作成部３３４及び端末性能情報作成部３３５を有する。【０３２５】
メモリ９６は、端末設定制御部３２１、セル選択制御部３２２、無線回線制御部３２４及び端末性能情報制御部３２６の機能を実現するためのプログラムを含む各種プログラムを記憶する。また、メモリ９６は、システム情報記憶部３２３及び端末性能情報記憶部３２５の機能を実現する。【０３２６】
そして、ＤＳＰ９５は、メモリ９６から各種プログラムを読み出し実行することで、端末設定制御部３２１、セル選択制御部３２２、無線回線制御部３２４及び端末性能情報制御部３２６の機能を実現する。また、ＤＳＰ９５は、ベースバンド処理部３４の機能を実現する。さらに、図１７では、ＤＳＰ９５を用いる構成を示したが、ＣＰＵで実現することも可能である。【０３２７】
以上に説明したように、本実施例に係る無線通信システムでは、基地局は、通信端末からアンライセンスドバンドの使用の可否を通知する情報を取得し、その情報にしたがって、ＳＣｅｌｌとしてアンライセンスドバンドを使用するか否かを判定する。これにより、通信端末がアンライセンスドバンドに対応しているか否かを的確に判定でき、アンライセンスドバンドを適切に使用して通信を行うことができる。【０３２８】
また、以上ではＰＣｅｌｌとＳＣｅｌｌとは、無線で接続された場合で説明したが、接続方法は他の方法でもよい。例えば、ＰＣｅｌｌとＳＣｅｌｌとは有線で接続されてもよい。この場合、ＰＣｅｌｌとＳＣｅｌｌとの間では、基地局間のインタフェースを用いた信号の伝送や、無線信号から光信号に変換した信号の伝送が行われる。【０３２９】
また、ＰＣｅｌｌとＳＣｅｌｌとの間のデータ転送は、ＰＤＣＰ  ＳＤＵが用いられている。この点、無線アクセス方式として、ＬＴＥやＬＴＥ−Ａｄｖａｎｃｅｄの分野では、ＬＴＥ及びＬＴＥ−Ａｄｖａｎｃｅｄを用いるＦｅｍｔｏをＨｅＮＢと呼んでいる。一方で、ＬＴＥやＬＴＥ−Ａｄｖａｎｃｅｄの分野以外では、ＦｅｍｔｏはＬＴＥではなくＷｉ−Ｆｉを用いた通信を指す。Ｗｉ−Ｆｉは、ＰＤＣＰが存在せず、ＬＴＥ及びＬＴＥ−ＡｄｖａｎｃｅｄのＭＡＣとは動作が異なるＭＡＣのみが存在する。そのため、ＰＤＣＰ  ＳＤＵ単位としたデータ転送を行うことが困難である。その結果、同一のサービスのデータを分けて、基地局とＦｅｍｔｏで送信することができる。
【実施例２】
【０３３０】
次に、実施例２について説明する。本実施例に係る無線通信システムは、通信端末が基地局に対して端末カテゴリを送信することが実施例１と異なる。本実施例に係るＰＣｅｌｌの基地局も図２で表される。また、本実施例に係る通信端末も図９で表される。以下では、実施例１と同様の機能を有する各部については説明を省略する。【０３３１】
端末性能情報制御部１５６は、図１８Ａに示す、通信端末の性能によって分類されたカテゴリ分けを表す端末カテゴリのリストを記憶している。図１８Ａは、端末カテゴリの一例を表す図である。「Maximum  number  of  DL-SCH  transport  block  bits  received  within  a  TTI」は、１回の下り共有チャネルで送信できる最大のビット数である。「Maximum  number  of  bits  of  a  DL-SCH  transport  block  received  within  a  TTI」は、例えば、この値は、ＭＩＭＯを実施しない場合の共有チャネルの１回で伝送できる最大のビット数である。又は、この値は、２レイヤすなわち、２×２ＭＩＭＯを実施した場合の共有チャネルの１回で伝送できる最大のビット数である。又は、この値は、４レイヤすなわち、４×４ＭＩＭＯを実施した場合の供給チャネルの１回で伝送できる最大のビット数である。「Total  number  of  soft  channel  bits」は、それ以前に受信した信号と新たに受信した信号とを合成する際の最大のビット数である。「Maximum  number  of  supported  lavers  for  spatial  multiplexing  in  DL」は、「spatial  multiplexing」すなわち、ＭＩＭＯのストリーム数を示す。例えば、「Maximum  number  of  supported  lavers  for  spatial  multiplexing  in  DL」が４であれば、送信が４ストリーム（４×４ＭＩＭＯ）を表す。また、「Unlicensed  band」は、アンライセンスドバンドの使用の可否を示す。すなわち、端末性能情報制御部１５６が記憶する端末カテゴリは、アンライセンスドバンドの使用可否を用いたカテゴリ分けを含む。【０３３２】
また、図１８Ａは一例であり、アンライセンスドバンドの使用の可否が判定できる要素が含まれていれば、図１８Ａのカテゴリ分けの要素が他の要素であってもよいし、他の要素が含まれていなくてもよい。例えば、図１８Ｂは、端末カテゴリの他の例を表す図である。図１８Ｂに示した端末カテゴリでは、使用する周波数帯によってアンライセンスドバンドが使用できるか否かがさらに分かれている。【０３３３】
端末性能情報制御部１５６は、端末性能情報抽出部１５３により抽出された通信端末３の端末性能情報を取得する。そして、端末性能情報制御部１５６は、端末性能情報から通信端末３が属する端末カテゴリを取得する。【０３３４】
端末性能情報制御部１５６は、取得した端末カテゴリから通信端末３のアンライセンスドバンドの使用の可否を判定する。そして、端末性能情報制御部１５６は、通信端末３のアンライセンスドバンドの使用の可否を無線回線制御部１５７に通知する。ここで、本実施例では、図１８Ａに示す端末カテゴリを用いて判定を行うため、単にアンライセンスドバンドが使用できるか否かが判定される。これに対して、例えば、図１８Ｂに示す端末カテゴリを用いた場合、端末性能情報制御部１５６は、アンライセンスドバンドで使用する周波数に応じて、通信端末３のアンライセンスドバンドの使用の可否を判定する。【０３３５】
通信端末３の端末性能情報記憶部３２５は、自装置が属する端末カテゴリを記憶している。【０３３６】
端末性能情報制御部３２６は、端末性能情報要求抽出部３０９により抽出された端末性能情報要求を取得する。そして、端末性能情報制御部３２６は、自装置が属する端末カテゴリを端末性能情報記憶部３２５から取得する。その後、端末性能情報制御部３２６は、取得した端末カテゴリを端末性能情報作成部３３５に送信するとともに端末性能情報の基地局１への通知を端末性能情報作成部３３５に指示する。【０３３７】
端末性能情報作成部３３５は、自装置の端末カテゴリを端末性能情報制御部３２６から取得する。そして、端末性能情報作成部３３５は、端末カテゴリを含む端末性能情報を作成する。そして、端末性能情報作成部３３５は、作成した端末性能情報を基地局１へ送信し、自装置の端末カテゴリを基地局１へ通知する。【０３３８】
次に、図１９Ａを参照して、本実施例に係る無線通信システムにおけるＳＣｅｌｌ接続の流れについて説明する。図１９Ａは、実施例２に係る無線通信システムにおけるＳＣｅｌｌ接続のシーケンス図である。【０３３９】
基地局１の端末性能情報要求作成部１６４は、端末性能情報要求を通信端末３へ送信する（ステップＳ４０１）。【０３４０】
通信端末３の端末性能情報制御部３２６は、端末性能情報要求抽出部３０９が抽出した端末性能情報要求を受信して、アンライセンスドバンドの使用の可否をカテゴリ分けに含む通信端末３の端末カテゴリを端末性能情報記憶部３２５から取得する（ステップＳ４０２）。そして、端末性能情報作成部３３５は、端末性能情報制御部３２６から通知された端末カテゴリを含む端末性能情報を作成する。その後、端末性能情報作成部３３５は、作成した端末性能情報を基地局１に送信することで、通信端末３の端末カテゴリを基地局１に通知する（ステップＳ４０３）。ここでは、通信端末３がアンライセンスドバンドの使用が可能な場合で説明する。【０３４１】
基地局１の無線回線制御部１５７は、通信端末３の端末カテゴリの情報を端末性能情報制御部１５６から受信する。そして、無線回線制御部１５７は、通信端末３の端末カテゴリを基に通信端末３のアンライセンスドバンドの使用可否を確認する（ステップＳ４０４）。【０３４２】
基地局１の無線回線制御部１５７は、アンライセンスドバンドを使用するか否かの判定及びアンライセンスドバンドの無線回線品質測定要求の作成を含むアンライセンスドバンド使用制御を行う（ステップＳ４０５）。そして、無線回線制御部１５７は、通信端末３へのアンライセンスドバンド使用の通知を無線回線制御情報作成部１６０に指示する。【０３４３】
基地局１の無線回線制御情報作成部１６０は、無線回線制御部１５７からの指示を受けて、アンライセンスドバンドの使用を通知するための制御情報を作成する。そして、無線回線制御情報作成部１６０は、作成した制御情報を通信端末３へ送信することで、アンライセンスドバンドの使用を通信端末３に通知する（ステップＳ４０６）。【０３４４】
基地局２のパイロット作成部２６１は、パイロット信号を算出して生成する。そして、パイロット作成部２６１は、パイロット信号を通信端末３へ送信する（ステップＳ４０７）。【０３４５】
通信端末３の無線回線品質測定算出部３１０は、基地局２から送信されたパイロット信号を用いて基地局２との間の無線回線品質の測定及び算出を行う（ステップＳ４０８）。そして、無線回線品質測定算出部３１０は、無線回線品質の測定算出結果を無線回線品質情報作成部３３４へ出力する。【０３４６】
無線回線品質情報作成部３３４は、受信した無線回線品質の測定算出結果を用いて無線回線品質情報を作成する。そして、無線回線品質情報作成部３３４は、作成した無線回線品質情報を基地局１へ送信する（ステップＳ４０９）。【０３４７】
基地局１の無線回線制御部１５７は、通信端末３と基地局２との間の無線回線品質情報を無線回線品質情報抽出部１５４から取得する。無線回線制御部１５７は、アンライセンスドバンドを用いる他の通信端末の周辺基地局からも同様に無線回線品質情報を取得する。そして、無線回線制御部１５７は、取得した無線回線品質情報を基にセルを選択する（ステップＳ４１０）。ここでは、無線回線制御部１５７が基地局２を選択した場合で説明する。【０３４８】
無線回線制御部１５７が基地局２を選択した場合、基地局１及び２、並びに、通信端末３の間で、ランダムアクセスプロシジャが行われ、通信端末３と基地局２とを接続する無線回線が設定される（ステップＳ４１１）。【０３４９】
その後、基地局２と通信端末３とは、設定された無線回線を用いてユーザデータ及び制御情報の送受信を行う（ステップＳ４１２）。【０３５０】
さらに、図１９Ｂを参照して端末カテゴリの通知について詳細に説明する。図１９Ｂは、端末カテゴリの通知処理の詳細を表すシーケンス図である。【０３５１】
通信端末３の端末性能情報要求抽出部３０９は、基地局１から送信された信号から端末性能情報要求を抽出する。次に、端末性能情報制御部３２６は、端末性能情報要求抽出部３０９が抽出した端末性能情報要求を受信する。そして、端末性能情報制御部３２６は、端末性能情報要求を受けて、端末性能情報記憶部３２５から自装置である通信端末３が属する端末カテゴリを取得する（ステップＳ４２２）。この端末カテゴリには、アンライセンスバンドの使用可否が含まれる。【０３５２】
次に、端末制御情報作成部３５５は、端末カテゴリの情報を端末性能情報制御部３２６から取得する。そして、端末制御情報作成部３５５は、端末カテゴリを含む性能情報を作成する（ステップＳ４２３）。【０３５３】
次に、端末性能情報作成部３５５は、端末カテゴリを含む性能情報を基地局１へ送信する（ステップＳ４２４）。【０３５４】
基地局１の端末性能情報抽出部１５３は、通信端末３から送出された信号から端末性能情報を抽出する。次に、端末性能情報制御部１５６は、通信端末３の端末性能情報を端末性能情報抽出部１５３から取得する。そして、端末性能情報制御部１５６は、端末性能情報から通信端末３が属する端末カテゴリを受信した端末性能情報から取得する（ステップＳ４２５）。【０３５５】
次に、図２０を参照して、本実施例に係る基地局１によるＣＡの処理の流れについて説明する。図２０は、実施例２に係る基地局によるＣＡの処理のフローチャートである。【０３５６】
無線回線制御部１５７、無線回線制御情報作成部１６０、パイロット作成部１６１及び同期信号作成部１６２は、ランダムアクセスを通信端末３との間で実行する（ステップＳ５０１）。これにより、基地局１と通信端末３との間に無線回線が設定される。【０３５７】
次に、システム情報作成部１６３は、システム情報管理記憶部１５８が記憶する情報を用いてシステム情報を作成する。そして、システム情報作成部１６３は、作成したシステム情報を基地局１へ送信する（ステップＳ５０２）。【０３５８】
次に、端末性能情報要求作成部１６４は、端末カテゴリ送信要求を含む端末性能情報要求を作成する。そして、端末性能情報要求作成部１６４は、作成した端末性能情報要求を通信端末３へ送信することで、端末カテゴリ送信を要求する（ステップＳ５０３）。【０３５９】
次に、無線回線制御部１５７は、通信端末３から受信した端末性能情報に含まれる通信端末３の端末カテゴリの情報を端末性能情報制御部１５６から受信する（ステップＳ５０４）。そして、無線回線制御部１５７は、通信端末３のアンライセンスドバンドの使用の可否を判定する（ステップＳ５０５）。次に、無線回線制御部１５７は、アンライセンスドバンドの使用の通信端末３への通知を無線回線制御情報作成部１６０に指示する。無線回線制御情報作成部１６０は、アンライセンスドバンドの使用を通信端末３へ通知する（ステップＳ５０６）。【０３６０】
無線回線制御情報作成部１６０は、無線回線制御部１５７からの指示を受けて、通信端末３に対する基地局２を含むアンライセンスドバンドを用いた通信を行う通信端末３の周辺基地局との間の無線回線品質測定要求を作成する。そして、無線回線制御情報作成部１６０は、作成した無線回線品質測定要求を通信端末３へ送信する（ステップＳ５０７）。【０３６１】
その後、無線回線制御部１５７は、基地局２を含む通信端末３の周辺基地局からの無線回線品質測定結果を受信する（ステップＳ５０８）。【０３６２】
そして、無線回線制御部１５７は、受信した無線回線品質測定結果から追加セルを選択する（ステップＳ５０９）。ここでは、無線回線制御部１５７は、基地局２のセル２０を選択した場合で説明する。【０３６３】
無線回線制御情報作成部１６０は、無線回線制御部１５７からの指示を受けて、基地局２へのシステム情報要求を行うための制御情報を作成する。そして、無線回線制御情報作成部１６０は、作成した制御情報を基地局２へ送信することで、基地局２に対してシステム情報要求を行う（ステップＳ５１０）。【０３６４】
無線回線制御部１５７は、基地局２から送信されたシステム情報を無線回線制御情報抽出部１５５から取得する。そして、無線回線制御部１５７は、取得した基地局２のシステム情報を無線回線制御情報作成部１６０を介して通信端末３へ送信する（ステップＳ５１１）。【０３６５】
その後、無線回線制御部１５７は、通信端末３に対するセル追加要求の送信を無線回線制御情報作成部１６０に指示する。無線回線制御情報作成部１６０は、セル追加要求を行うための制御情報を作成する。そして、無線回線制御情報作成部１６０は、作成した制御情報を通信端末３へ送信することで、通信端末３にセル追加要求を送信する（ステップＳ５１２）。【０３６６】
次に、図２１Ａを参照して、本実施例に係る通信端末３によるＣＡの処理の流れについて説明する。図２１Ａは、実施例２に係る通信端末によるＣＡの処理のフローチャートである。【０３６７】
セル選択制御部３２２は、基地局１を含む周辺基地局から受信したパイロット信号を用いてＰＣｅｌｌのセル選択を行う（ステップＳ５２１）。ここでは、セル選択制御部３２２は、基地局１のセル１０をＰＣｅｌｌとして選択する。【０３６８】
そして、パイロット抽出部３０５、同期制御部３０６、同期信号抽出部３０７、セルＩＤ抽出部３０８、端末設定制御部３２１及び無線回線制御部３２４は、基地局１との間でランダムアクセスを行う（ステップＳ５２２）。これにより、通信端末３と基地局１との間で無線回線が設定される。【０３６９】
次に、無線回線制御部３２４は、システム情報抽出部３０３により抽出された基地局１のシステム情報を受信する（ステップＳ５２３）。【０３７０】
その後、端末性能情報制御部３２６は、端末性能情報要求を端末性能情報要求抽出部３０９から受信する（ステップＳ５２４）。端末性能情報制御部３２６は、通信端末３の端末カテゴリの情報を端末性能情報記憶部３２５から取得する。そして、端末性能情報制御部３２６は、端末カテゴリの情報を含む端末性能情報の基地局１への送信を端末性能情報作成部３３５に指示する。【０３７１】
端末性能情報作成部３３５は、端末性能情報制御部３２６からの指示を受けて端末カテゴリの情報を含む端末性能情報を作成する。そして、端末性能情報作成部３３５は、作成した端末性能情報を基地局１へ送信することで、端末カテゴリを基地局１に通知する（ステップＳ５２５）。【０３７２】
次に、無線回線制御部３２４は、基地局１から送信されたアンライセンスドバンド使用の通知を無線回線制御情報抽出部３０４から受信する（ステップＳ５２６）。【０３７３】
その後、無線回線制御部３２４は、基地局１から送信された無線回線品質測定要求を無線回線制御情報抽出部３０４から受信する（ステップＳ５２７）。【０３７４】
パイロット抽出部３０５、同期制御部３０６及び同期信号抽出部３０７は、基地局２への同期を実行する（ステップＳ５２８）。次に、セルＩＤ抽出部３０８は、基地局２のセルＩＤを抽出する（ステップＳ５２９）。そして、無線回線品質測定算出部３１０は、基地局２との間の無線回線品質の測定及び算出を行う（ステップＳ５３０）。【０３７５】
その後、無線回線品質測定算出部３１０は、無線回線品質の基地局１への通知を無線回線品質情報作成部３３４に指示する。無線回線品質情報作成部３３４は、無線回線品質測定算出部３１０からの指示にしたがい無線回線品質の測定算出結果を基地局１へ通知する（ステップＳ５３１）。【０３７６】
無線回線制御部３２４は、セル追加要求を基地局１から受けたか否かを判定する（ステップＳ５３２）。セル追加要求を受けていない場合（ステップＳ５３２：否定）、処理は、ステップＳ５２８へ戻る。【０３７７】
これに対して、セル追加要求を受けた場合（ステップＳ５３２：肯定）、端末設定制御部３２１は、基地局２のシステム情報をシステム情報抽出部３０３から受信する（ステップＳ５３３）。【０３７８】
そして、パイロット抽出部３０５、同期制御部３０６、同期信号抽出部３０７、セルＩＤ抽出部３０８、端末設定制御部３２１及び無線回線制御部３２４は、基地局２との間でランダムアクセスを行う（ステップＳ５３４）。これにより、通信端末３と基地局２との間で無線回線が設定される。【０３７９】
さらに、図２１Ｂを参照して端末カテゴリの通知について詳細に説明する。図２１Ｂは、端末カテゴリの通知処理の詳細を表すフローチャートである。【０３８０】
通信端末３の端末性能情報要求抽出部３０９は、基地局１から送信された信号から端末性能情報要求を抽出する。次に、端末性能情報制御部３２６は、端末性能情報要求抽出部３０９が抽出した端末性能情報要求を受信する（ステップＳ５４１）。【０３８１】
そして、端末性能情報制御部３２６は、端末性能情報要求を受けて、端末性能情報記憶部３２５から自装置である通信端末３が属する端末カテゴリを取得する（ステップＳ５４２）。この端末カテゴリには、アンライセンスバンドの使用可否が含まれる。【０３８２】
次に、端末制御情報作成部３５５は、端末カテゴリの情報を端末性能情報制御部３２６から取得する。そして、端末制御情報作成部３５５は、端末カテゴリを含む性能情報を作成する（ステップＳ５４３）。【０３８３】
次に、端末性能情報作成部３５５は、端末カテゴリを含む性能情報を基地局１へ送信する（ステップＳ５４４）。【０３８４】
基地局１の端末性能情報抽出部１５３は、通信端末３から送出された信号から端末性能情報を抽出する。次に、端末性能情報制御部１５６は、通信端末３の端末性能情報を端末性能情報抽出部１５３から取得する。そして、端末性能情報制御部１５６は、端末性能情報から通信端末３が属する端末カテゴリを受信した端末性能情報から取得する（ステップＳ５４５）。【０３８５】
以上に説明したように、本実施例に係る無線通信システムでは、通信端末が自装置の端末カテゴリを基地局に通知し、基地局はその端末カテゴリから通信端末のアンライセンスドバンドの使用の可否を判定する。このように、直接アンライセンスドバンドの使用の可否を通知しなくても、通信端末から基地局に自装置のアンライセンスドバンドの使用の可否を通知することができる。これにより、通信端末がアンライセンスドバンドに対応しているか否かを的確に判定でき、アンライセンスドバンドを適切に使用して通信を行うことができる。
【実施例３】
【０３８６】
次に、実施例３について説明する。本実施例に係る無線通信システムでは、基地局がＣＢＢＵ（Centralized  Base  Band  Unit）とＲＲＨ（Remote  Radio  Head）の２つの装置に分けられていることが実施例１及び２と異なる。図２２は、実施例３に係る基地局のＣＢＢＵのブロック図である。また、図２３は、実施例３に係る基地局のＲＲＨのブロック図である。以下では、実施例１及び２と同様の機能を有する各部については説明を省略する。【０３８７】
本実施例に係る基地局１のＣＢＢＵ１１は、実施例１に係る基地局１における受信無線部１５１の位置にＥ／Ｏ（Electrical/Optical）変換部１６７を有する。また、ＣＢＢＵ１１は、実施例１に係る基地局１における送信無線部１６５の位置にＯ／Ｅ（Optical/Electrical）変換部１６８を有する。【０３８８】
Ｅ／Ｏ変換部１６７は、ＲＲＨ１２から送られてきた光信号を受信する。そして、Ｅ／Ｏ変換部１６７は、受信した光信号を電気信号に変換する。その後、Ｅ／Ｏ変換部１６７は、電気信号に変換した信号を復調復号部１５２へ出力する。【０３８９】
復調復号部１５２は、Ｅ／Ｏ変換部１６７から入力された信号に対して復調処理及び復号処理を施して送出する。【０３９０】
符号化変調部１６６は、受信した信号に対して符号化処理及び変調処理を施し、Ｏ／Ｅ変換部１６８へ出力する。【０３９１】
Ｏ／Ｅ変換部１６８は、符号化変調部１６６から入力された信号を、電気信号から光信号に変換する。そして、Ｏ／Ｅ変換部１６８は、光信号に変換した信号をＲＲＨ１２へ送信する。【０３９２】
ＲＲＨ１２は、実施例１に係る基地局１における受信無線部１５１及び送信無線部１６５に加えて、Ｅ／Ｏ変換部１６９及びＯ／Ｅ変換部１７０を有する。【０３９３】
Ｅ／Ｏ変換部１６９は、受信無線部１５１から信号を受信する。そして、Ｅ／Ｏ変換部１６９は、受信信号を電気信号から光信号に変換する。そして、Ｅ／Ｏ変換部１６９は、光信号に変換した信号をＣＢＢＵ１１へ送信する。【０３９４】
Ｏ／Ｅ変換部１７０は、ＣＢＢＵ１１から信号を受信する。そして、Ｏ／Ｅ変換部１７０は、受信信号を光信号から電気信号に変換する。そして、Ｏ／Ｅ変換部１７０は、電気信号に変換した信号を送信無線部１６５へ出力する。【０３９５】
以上に説明したように、本実施例に係る基地局はＣＢＢＵ及びＲＲＨに分離されている。このように、２つに分離した基地局であっても実施例１及び２と同様に動作でき、アンライセンスドバンドを適切に使用して通信を行うことができる。
【実施例４】
【０３９６】
次に、実施例４について説明する。本実施例に係る無線通信システムでは、１つの基地局がＰＣｅｌｌ及びＳＣｅｌｌを有することが実施例１及び２と異なる。図２４は、実施例４に係る基地局のブロック図である。以下では、実施例１及び２と同様の機能を有する各部については説明を省略する。【０３９７】
本実施例に係る基地局１は、図２４に示すように、ＰＤＣＰ処理部１０１、ＲＬＣ処理部１０２、ＭＡＣ処理部１０３及び物理層処理部１０４を有する。さらに、基地局１は、ＳＣｅｌｌであるセル２０で通信を行うＰＤＣＰ処理部２０１、ＲＬＣ処理部２０２、ＭＡＣ処理部２０３及び物理層処理部２０４を有する。【０３９８】
ＰＤＣＰ処理部１０１、ＲＬＣ処理部１０２、ＭＡＣ処理部１０３及び物理層処理部１０４は、セル１０で通信を行う。すなわち、通信端末３がＰＣｅｌｌとしてセル１０を選択した場合、ＰＤＣＰ処理部１０１、ＲＬＣ処理部１０２、ＭＡＣ処理部１０３及び物理層処理部１０４はＰＣｅｌｌとして通信端末３と通信を行う。【０３９９】
ＰＤＣＰ処理部２０１、ＲＬＣ処理部２０２、ＭＡＣ処理部２０３及び物理層処理部２０４は、セル２０でアンライセンスドバンドを用いて通信を行う。すなわち、通信端末３がＳＣｅｌｌとしてセル２０を選択した場合、ＰＤＣＰ処理部２０１、ＲＬＣ処理部２０２、ＭＡＣ処理部２０３及び物理層処理部２０４はＳＣｅｌｌとして通信端末３と通信を行う。【０４００】
このように、１つの基地局１の中にＰＣｅｌｌを用いて通信を行う機能と、ＳＣｅｌｌを用いて通信を行う機能とを併存させることができる。この場合も、物理層処理部１０４及び２０４は、実施例１又は２と同様の機能を有する。これにより、本実施例のように１つの基地局がＰＣｅｌｌとＳＣｅｌｌとを有する場合でも、アンライセンスドバンドを適切に使用して通信を行うことができる。【０４０１】
また、本実施例のように１つの基地局がＰＣｅｌｌとＳＣｅｌｌを有する場合でも、実施例３のように、基地局をＣＢＢＵとＲＲＨとに分離することもできる。
【実施例５】
【０４０２】
次に、実施例５について説明する。以上の各実施例では、図２５に示すように、ＰＣｅｌｌを有する基地局１及びＳＣｅｌｌを有する基地局２は、各レイヤの処理部をそれぞれが有する場合で説明した。図２５は、ＰＣｅｌｌ及びＳＣｅｌｌの基地局の各レイヤの処理部及びデータ転送処理を表す概略図である。また、ＰＣｅｌｌを有する基地局１とＳＣｅｌｌを有する基地局２との間のデータ転送は、ＰＤＣＰ処理部１０１とＰＤＣＰ処理部２０１との間で、ＰＤＣＰ  ＳＤＵを用いて行う場合で説明した。しかし、各レイヤの処理部の構成及びデータ転送の方法はこれに限らない。【０４０３】
さらに、データの転送位置を異ならせることもできる。例えば、図２６Ａのように基地局１及び２の上位装置４において、例えば分割機能４１を用いてデータを分けることも可能である。図２６Ａは、上位装置においてデータを分ける構成を表す図である。すなわち、ライセンスドバンドの基地局１とアンライセンスドバンドを用いる基地局２のそれぞれで下り伝送するデータを分割し、それぞれの上り伝送で受信したデータを結合する分割機能４１を上位装置４が有することも可能である。例えば、基地局２として従来のＨｅＮＢ（Ｆｅｍｔｏ）を用いる場合、基地局１とＨｅＮＢ（Ｆｅｍｔｏ）との間ではデータ転送は行われない。言い換えれば、例えば、基地局１及び２の上位装置４であるＳ−ＧＷとＨｅＮＢのＳ−ＧＷが異なる。このような場合に図２６Ａのような構成をとることが好ましい。【０４０４】
さらに、ライセンスドバンドの基地局１の各レイヤの機能及びアンライセンスドバンドの基地局２の各レイヤの機能のうち一部の機能をまとめることが可能である。【０４０５】
例えば、ＰＤＣＰを共通とする場合、図２６ＢのようにＰＤＣＰ処理部１０１を共通化することができる。図２６Ｂは、ＰＤＣＰ処理部を共通化した場合の構成を表す図である。ＰＤＣＰを共通化する場合は、ＲＬＣ  ＳＤＵ（ＰＤＣＰ  ＰＤＵ）又はＲＬＣ  ＰＤＵ（ＰＤＣＰ  ＳＤＵ）を用いて基地局１と基地局２との間でデータ転送が行われる。この場合、ＲＬＣ処理部１０２及び２０２は、データの転送機能を新たに追加した新たなＲＬＣ機能を有する。【０４０６】
また、ＰＤＣＰ及びＲＬＣを共通とする場合、図２６ＣのようにＰＤＣＰ処理部１０１及びＲＬＣ処理部１０２を共通化することができる。図２６Ｃは、ＰＤＣＰ処理部及びＲＬＣ処理部を共通化した場合の構成を表す図である。ＰＤＣＰ及びＲＬＣを共通とする場合は、ＭＡＣ  ＳＤＵ（ＲＬＣ  ＰＤＵ）又はＭＡＣ  ＰＤＵ（ＲＬＣ  ＳＤＵ）を用いて基地局機能間のデータ転送が行われる。この場合、ＭＡＣ処理部１０３及び２０３は、データの転送機能を新たに追加した新たなＭＡＣ機能を有する。【０４０７】
また、ＰＤＣＰ、ＲＬＣ及びＭＡＣを共通とする場合、図２６ＤのようにＰＤＣＰ処理部１０１、ＲＬＣ処理部１０２及びＭＡＣ処理部１０３を共通化することができる。図２６Ｄは、ＰＤＣＰ処理部、ＲＬＣ処理部及びＭＡＣ処理部を共通化した場合の構成を表す図である。ＰＤＣＰ、ＲＬＣ及びＭＡＣが共通化された場合には、ＭＡＣ  ＰＤＵを用いて基地局機能間のデータ転送が行われる。この場合、物理層処理部１０４及び２０４は、データの転送機能を新たに追加した新たな機能を有する。【０４０８】
ここで、図２６Ａ〜２６Ｄの構成では、従来のＨＡＲＱ再送間隔では再送できない可能性が高いため、従来のＭＡＣと異なる、特にＨＡＲＱ制御が異なる新しいＭＡＣとすることが好ましい。また、使用する周波数が異なること、ＬＢＴ（Listen  before  Talk）（ＣＳＭＡ／ＣＡ）を実施することから、従来の物理層（Physical  layer）と異なる新しい物理層とすることが好ましい。【０４０９】
また、図２７Ａのように、ライセンスドバンドを用いる基地局１のＰＤＣＰ処理部１０１から、アンライセンスドバンドを用いる基地局２のＲＬＣ処理部２０２にデータを転送することも可能である。図２７Ａは、ライセンスドバンドを用いる基地局のＰＤＣＰ処理部からアンライセンスドバンドを用いる基地局のＲＬＣ処理部にデータを転送する構成を表す図である。この場合、ＲＬＣ処理部２０２は、従来のＰＤＣＰ処理機能とＲＬＣ処理機能を併せ持つ新しいＲＬＣ処理機能を有する。【０４１０】
また、図２７Ｂのように、ライセンスドバンドを用いる基地局１のＰＤＣＰ処理部１０１から、アンライセンスドバンドを用いる基地局２のＭＡＣ処理部２０３にデータを転送することも可能である。図２７Ｂは、ライセンスドバンドを用いる基地局のＰＤＣＰ処理部からアンライセンスドバンドを用いる基地局のＲＬＣ処理部にデータを転送する構成を表す図である。この場合、ＲＬＣ処理部２０２及びＭＡＣ処理部２０３は、従来のＰＤＣＰ処理機能、ＲＬＣ処理機能及びＭＡＣ処理機能を併せ持つ新しいＲＬＣ処理機能及びＭＡＣ処理機能を有する。【０４１１】
上記のように、ライセスドバンドを用いる基地局の機能とアンライセンスドバンドを用いる基地局の機能の一部を共通とすることで、１つの基地局がライセスドバンドの基地局の機能及びアンライセンスドバンドの基地局の機能の一部を有することが可能となる。これにより、基地局の回路規模の削減や消費電力の削減が可能となる。更に、基地局を小型化できる。そして、小型化により、基地局の設置コストを削減できる。【０４１２】
さらに、以上では、ライセンスドバンドを用いる基地局１とアンライセンスドバンドを用いる基地局２とを異なる基地局とした構成で説明した。これに対して、図２６Ａ〜２６Ｄに示すように、アンライセンスドバンドを用いて通信を行う機能を、いずれかの基地局（ここでは、基地局１とする。）に組み込むことも可能である。【０４１３】
図２８Ａは、１つの基地局内での上位装置においてデータを分ける構成を表す図である。図２８Ｂは、１つの基地局内でのＰＤＣＰ処理部を共通化した場合の構成を表す図である。図２８Ｃは、１つの基地局内でのＰＤＣＰ処理部及びＲＬＣ処理部を共通化した場合の構成を表す図である。図２８Ｄは、１つの基地局内でのＰＤＣＰ処理部、ＲＬＣ処理部及びＭＡＣ処理部を共通化した場合の構成を表す図である。【０４１４】
さらに、ライセンスドバンドを用いる基地局の機能とアンライセンスドバンドを用いる基地局の機能とをそれぞれ異なる装置とした場合は、両者を接続するためのインタフェースや光回線などの有線の敷設が行われる。これに対して、ライセンスドバンドを用いる基地局の機能とアンライセンスドバンドを用いる基地局の機能の一部を一つの装置として実現することで、インタフェースや有線を敷設しなくてもよく、コストを削減できる。
【符号の説明】
【０４１５】
１，２  基地局
３  通信端末
４  上位装置
１０，２０  セル
１１  ＣＢＢＵ
１２  ＲＲＨ
３１  受信部
３２  制御部
３３  送信部
３４  ベースバンド処理部
１０１，２０１  ＰＤＣＰ処理部
１１１，２１１  下り信号処理部
１１２，２１２  上り信号処理部
１０２，２０２  ＲＬＣ処理部
１２１，２２１  下り信号処理部
１２２，２２２  上り信号処理部
１０３，２０３  ＭＡＣ処理部
１３１，２３１  下り信号処理部
１３２，２３２  上り信号処理部
１０４，２０４  物理層処理部
１０５  ライセンスドバンド制御部
１４１  ライセンスドバンド送信部
１４２  ライセンスドバンド受信部
１５１，２５１  受信無線部
１５２，２５２  復調復号部
１５３  端末性能情報抽出部
１５４，２５４  無線回線品質情報抽出部
１５５，２５５  無線回線制御情報抽出部
１５６  端末性能情報制御部
１５７，２５７  無線回線制御部
１５８，２５８  システム情報管理記憶部
１５９，２５９  上位処理部
１６０，２６０  無線回線制御情報作成部
１６１，２６１  パイロット作成部
１６２，２６２  同期信号作成部
１６３，２６３  システム情報作成部
１６４  端末性能情報要求作成部
１６５，２６５  送信無線部
１６６，２６６  符号化変調部
１６７，１６９  Ｅ／Ｏ変換部
１６８，１７０  Ｏ／Ｅ変換部
２０５  アンライセンスドバンド制御部
２４１  アンライセンスドバンド送信部
２４２  アンライセンスドバンド受信部
３０１  受信無線部
３０２  復調復号部
３０３  システム情報抽出部
３０４  無線回線制御情報抽出部
３０５  パイロット抽出部
３０６  同期制御部
３０７  同期信号抽出部
３０８  セルＩＤ抽出部
３０９  端末性能情報要求抽出部
３１０  無線回線品質測定算出部
３１１  同期信号作成部  
３１２  パイロット算出部
３２１  端末設定制御部
３２２  セル選択制御部
３２３  システム情報記憶部
３２４  無線回線制御部
３２５  端末性能情報記憶部
３２６  端末性能情報制御部
３３１  送信無線部
３３２  符号化変調部
３３３  無線回線制御情報作成部
３３４  無線回線品質情報作成部
３３５  端末性能情報作成部
【図１】
2016181537.tif 000023
【図２】
2016181537.tif 000024
【図３】
2016181537.tif 000025
【図４】
2016181537.tif 000026
【図５】
2016181537.tif 000027
【図６】
2016181537.tif 000028
【図７】
2016181537.tif 000029
【図８】
2016181537.tif 000030
【図９】
2016181537.tif 000031
【図１０】
2016181537.tif 000032
【図１１Ａ】
2016181537.tif 000033
【図１１Ｂ】
2016181537.tif 000034
【図１２】
2016181537.tif 000035
【図１３】
2016181537.tif 000036
【図１４】
2016181537.tif 000037
【図１５】
2016181537.tif 000038
【図１６】
2016181537.tif 000039
【図１７】
2016181537.tif 000040
【図１８Ａ】
2016181537.tif 000041
【図１８Ｂ】
2016181537.tif 000042
【図１９Ａ】
2016181537.tif 000043
【図１９Ｂ】
2016181537.tif 000044
【図２０】
2016181537.tif 000045
【図２１Ａ】
2016181537.tif 000046
【図２１Ｂ】
2016181537.tif 000047
【図２２】
2016181537.tif 000048
【図２３】
2016181537.tif 000049
【図２４】
2016181537.tif 000050
【図２５】
2016181537.tif 000051
【図２６Ａ】
2016181537.tif 000052
【図２６Ｂ】
2016181537.tif 000053
【図２６Ｃ】
2016181537.tif 000054
【図２６Ｄ】
2016181537.tif 000055
【図２７Ａ】
2016181537.tif 000056
【図２７Ｂ】
2016181537.tif 000057
【図２８Ａ】
2016181537.tif 000058
【図２８Ｂ】
2016181537.tif 000059
【図２８Ｃ】
2016181537.tif 000060
【図２８Ｄ】
2016181537.tif 000061
【国際調査報告】
2016181537.tif 000062
2016181537.tif 000063
2016181537.tif 000064
2016181537.tif 000065